(57)【要約】【課題】伝送路特性の推定精度の劣化を防止する。【解決手段】パイロット抽出部２０１は、OFDM周波数領域信号からパイロット信号を抽出し、演算部２０３は、パイロット信号を用いて、パイロット信号に対する伝送路特性を推定する。時間方向特性推定部２０４は、パイロット信号に対する伝送路特性を用いて、時間方向の補間がされた伝送路特性を推定し、周波数方向特性推定部３１１は、時間方向の補間がされた伝送路特性を、補間用フィルタ３２１でフィルタリングすることにより、周波数方向の補間がされた伝送路特性を推定する。フィルタ制御部３１２は、補間用フィルタ３２１の通過帯域を複数の帯域とする制御が可能になっている。本発明は、例えば、OFDM信号を受信する受信装置等に適用できる。【選択図】図１０
2010050691.tif 000002
【特許請求の範囲】
【請求項１】
パイロット信号が、あらかじめ定められた複数の位置に配置されたOFDM(Orthogonal Frequency Division Multiplexing)信号から前記パイロット信号を抽出するパイロット抽出手段と、
前記パイロット信号を用いて、前記パイロット信号に対する、前記OFDM信号の伝送路の特性である伝送路特性を推定し、その伝送路特性を表す伝送路特性データを出力する第１の推定手段と、
前記パイロット信号に対する前記伝送路特性データを用いて、時間方向の補間がされた前記伝送路特性を推定し、その伝送路特性を表す伝送路特性データを出力する第２の推定手段と、
時間方向の補間がされた前記伝送路特性を表す伝送路特性データを、補間に用いる補間用フィルタでフィルタリングすることにより、周波数方向の補間がされた前記伝送路特性を推定し、その伝送路特性を表す伝送路特性データを出力する第３の推定手段と、
前記周波数方向の補間がされた前記伝送路特性を表す伝送路特性データを用いて、前記OFDM信号の歪み補正を行う歪み補正手段と、
前記補間用フィルタの通過帯域を制御するフィルタ制御手段であって、前記補間用フィルタの前記通過帯域を複数の帯域とする制御が可能なフィルタ制御手段と
を備える受信装置。
【請求項２】
前記時間方向の補間がされた前記伝送路特性が、N個のサブキャリアごとに得られ、
前記OFDM信号のOFDMシンボルの、ガードインターバルを含まない長さである有効シンボル長が、Tu秒である場合に、
前記通過帯域になっている複数の帯域の合計は、Tu/N秒以下である
請求項１に記載の受信装置。
【請求項３】
前記フィルタ制御手段は、前記通過帯域が異なる複数の前記補間用フィルタから、１つの前記補間用フィルタを選択することにより、前記通過帯域を制御し、
複数の前記補間用フィルタのうちの少なくとも１つの通過帯域は、複数の帯域になっている
請求項１に記載の受信装置。
【請求項４】
前記フィルタ制御手段は、複数の前記補間用フィルタそれぞれでのフィルタリングによって得られる前記伝送路特性データによる歪み補正を行った前記OFDM信号の信号品質に基づいて、複数の前記補間用フィルタから、１つの前記補間用フィルタを選択する
請求項３に記載の受信装置。
【請求項５】
パイロット信号が、あらかじめ定められた複数の位置に配置されたOFDM(Orthogonal Frequency Division Multiplexing)信号を受信する受信装置が、
前記OFDM信号から前記パイロット信号を抽出し、
前記パイロット信号を用いて、前記パイロット信号に対する、前記OFDM信号の伝送路の特性である伝送路特性を推定し、その伝送路特性を表す伝送路特性データを出力し、
前記パイロット信号に対する前記伝送路特性データを用いて、時間方向の補間がされた前記伝送路特性を推定し、その伝送路特性を表す伝送路特性データを出力し、
時間方向の補間がされた前記伝送路特性を表す伝送路特性データを、補間に用いる補間用フィルタでフィルタリングすることにより、周波数方向の補間がされた前記伝送路特性を推定し、その伝送路特性を表す伝送路特性データを出力し、
前記周波数方向の補間がされた前記伝送路特性を表す伝送路特性データを用いて、前記OFDM信号の歪み補正を行う場合に、
前記補間用フィルタの通過帯域の制御として、前記補間用フィルタの通過帯域を複数の帯域とする制御を行う
信号処理方法。
【請求項６】
パイロット信号が、あらかじめ定められた複数の位置に配置されたOFDM(Orthogonal Frequency Division Multiplexing)信号から前記パイロット信号を抽出するパイロット抽出手段と、
前記パイロット信号を用いて、前記パイロット信号に対する、前記OFDM信号の伝送路の特性である伝送路特性を推定し、その伝送路特性を表す伝送路特性データを出力する第１の推定手段と、
前記パイロット信号に対する前記伝送路特性データを用いて、時間方向の補間がされた前記伝送路特性を推定し、その伝送路特性を表す伝送路特性データを出力する第２の推定手段と、
時間方向の補間がされた前記伝送路特性を表す伝送路特性データを、補間に用いる補間用フィルタでフィルタリングすることにより、周波数方向の補間がされた前記伝送路特性を推定し、その伝送路特性を表す伝送路特性データを出力する第３の推定手段と、
前記周波数方向の補間がされた前記伝送路特性を表す伝送路特性データを用いて、前記OFDM信号の歪み補正を行う歪み補正手段と、
前記補間用フィルタの通過帯域を制御するフィルタ制御手段であって、前記補間用フィルタの前記通過帯域を複数の帯域とする制御が可能なフィルタ制御手段と
して、コンピュータを機能させるためのプログラム。
【請求項７】
パイロット信号が、あらかじめ定められた複数の位置に配置されたOFDM(Orthogonal Frequency Division Multiplexing)信号から前記パイロット信号を抽出するパイロット抽出手段と、
前記パイロット信号を用いて、前記パイロット信号に対する、前記OFDM信号の伝送路の特性である伝送路特性を推定し、その伝送路特性を表す伝送路特性データを出力する第１の推定手段と、
前記パイロット信号に対する前記伝送路特性データを用いて、時間方向の補間がされた前記伝送路特性を推定し、その伝送路特性を表す伝送路特性データを出力する第２の推定手段と、
時間方向の補間がされた前記伝送路特性を表す伝送路特性データを、通過帯域が異なる複数の補間用フィルタそれぞれでフィルタリングすることにより、周波数方向の補間がされた複数の前記伝送路特性を推定し、その伝送路特性を表す伝送路特性データを出力する第３の推定手段と、
前記周波数方向の補間がされた複数の前記伝送路特性を表す伝送路特性データそれぞれを用いて、前記OFDM信号の歪み補正を行う複数の歪み補正手段と、
歪み補正後の複数の前記OFDM信号それぞれの信号品質を求める信号品質計算手段と、
前記信号品質に基づいて、歪み補正後の複数の前記OFDM信号から、１つの前記OFDM信号を選択する選択手段と
を備え、
複数の前記補間用フィルタのうちの少なくとも１つの通過帯域は、複数の帯域になっている
受信装置。
【請求項８】
前記時間方向の補間がされた前記伝送路特性が、N個のサブキャリアごとに得られ、
前記OFDM信号のOFDMシンボルの、ガードインターバルを含まない長さである有効シンボル長が、Tu秒である場合に、
前記通過帯域になっている複数の帯域の合計は、Tu/N秒以下である
請求項７に記載の受信装置。
【請求項９】
パイロット信号が、あらかじめ定められた複数の位置に配置されたOFDM(Orthogonal Frequency Division Multiplexing)信号を受信する受信装置が、
前記OFDM信号から前記パイロット信号を抽出し、
前記パイロット信号を用いて、前記パイロット信号に対する、前記OFDM信号の伝送路の特性である伝送路特性を推定し、その伝送路特性を表す伝送路特性データを出力し、
前記パイロット信号に対する前記伝送路特性データを用いて、時間方向の補間がされた前記伝送路特性を推定し、その伝送路特性を表す伝送路特性データを出力し、
時間方向の補間がされた前記伝送路特性を表す伝送路特性データを、通過帯域が異なる複数の補間用フィルタそれぞれでフィルタリングすることにより、周波数方向の補間がされた複数の前記伝送路特性を推定し、その伝送路特性を表す伝送路特性データを出力し、
前記周波数方向の補間がされた複数の前記伝送路特性を表す伝送路特性データそれぞれを用いて、前記OFDM信号の歪み補正を行い、
歪み補正後の複数の前記OFDM信号それぞれの信号品質を求め、
前記信号品質に基づいて、歪み補正後の複数の前記OFDM信号から、１つの前記OFDM信号を選択する場合に、
複数の前記補間用フィルタのうちの少なくとも１つの通過帯域は、複数の帯域になっている
信号処理方法。
【請求項１０】
パイロット信号が、あらかじめ定められた複数の位置に配置されたOFDM(Orthogonal Frequency Division Multiplexing)信号から前記パイロット信号を抽出するパイロット抽出手段と、
前記パイロット信号を用いて、前記パイロット信号に対する、前記OFDM信号の伝送路の特性である伝送路特性を推定し、その伝送路特性を表す伝送路特性データを出力する第１の推定手段と、
前記パイロット信号に対する前記伝送路特性データを用いて、時間方向の補間がされた前記伝送路特性を推定し、その伝送路特性を表す伝送路特性データを出力する第２の推定手段と、
時間方向の補間がされた前記伝送路特性を表す伝送路特性データを、通過帯域が異なる複数の補間用フィルタそれぞれでフィルタリングすることにより、周波数方向の補間がされた複数の前記伝送路特性を推定し、その伝送路特性を表す伝送路特性データを出力する第３の推定手段と、
前記周波数方向の補間がされた複数の前記伝送路特性を表す伝送路特性データそれぞれを用いて、前記OFDM信号の歪み補正を行う複数の歪み補正手段と、
歪み補正後の複数の前記OFDM信号それぞれの信号品質を求める信号品質計算手段と、
前記信号品質に基づいて、歪み補正後の複数の前記OFDM信号から、１つの前記OFDM信号を選択する選択手段と
して、コンピュータを機能させるためのプログラムであり、
複数の前記補間用フィルタのうちの少なくとも１つの通過帯域は、複数の帯域になっている
プログラム。
【発明の詳細な説明】
【技術分野】
【０００１】
本発明は、受信装置、信号処理方法、及び、プログラムに関し、OFDM信号の伝送路の特性である伝送路特性の推定精度の劣化を防止することができるようにする受信装置、信号処理方法、及び、プログラムに関する。
【背景技術】
【０００２】
地上ディジタル放送等では、データ（信号）の変調方式として、OFDM(Orthogonal Frequency Division Multiplexing)（直交周波数分割多重）が採用されている。
【０００３】
OFDMでは、伝送帯域内に多数の直交するサブキャリア（副搬送波）が設けられ、それぞれのサブキャリアの振幅や位相にデータを割り当る、PSK(Phase Shift Keying)やQAM(Quadrature Amplitude Modulation)等のディジタル変調が行われる。
【０００４】
OFDMでは、多数のサブキャリアで伝送帯域を分割するため、１つ（１波）のサブキャリアあたりの帯域は狭くなり、変調速度は遅くなるが、トータル（サブキャリアの全体）の伝送速度は、従来の変調方式と変わらない。
【０００５】
上述したように、OFDMにおいては、複数のサブキャリアに対してデータの割り当てが行なわれることから、変調は、逆フーリエ変換を行うIFFT(Inverse Fast Fourier Transform)演算によって行うことができる。また、変調の結果得られるOFDM信号の復調は、フーリエ変換を行うFFT(Fast Frourier Transform)演算によって行うことができる。
【０００６】
したがって、OFDM信号を送信する送信装置は、IFFT演算を行う回路を用いて構成することができ、OFDM信号を受信する受信装置は、FFT演算を行う回路を用いて構成することができる。
【０００７】
また、OFDMでは、後述するガードインターバルと呼ばれる信号区間を設けることで、マルチパスに対する耐性を向上させることができる。さらに、OFDMでは、既知の信号（受信装置側で分かっている信号）であるパイロット信号が、時間方向や周波数方向に離散的に挿入され、受信装置では、そのパイロット信号が、同期や、伝送路特性の推定に利用される。
【０００８】
OFDMは、マルチパスに対する耐性が強いため、マルチパス妨害の影響を強く受ける地上ディジタル放送等で採用されている。OFDMを採用した地上ディジタル放送の規格としては、例えば、DVB-T（Digital Video Broadcasting-Terrestrial）や、ISDB-T（Integrated Services Digital Broadcasting-Terrestrial）等がある。
【０００９】
OFDMでは、データは、OFDMシンボルと呼ばれる単位で送信（伝送）される。
【００１０】
図１は、OFDMシンボルを示している。
【００１１】
OFDMシンボルは、変調時にIFFTが行われる信号期間である有効シンボルと、その有効シンボルの後半の一部の波形が、そのまま、有効シンボルの先頭にコピーされたガードインターバルとから構成される。
【００１２】
OFDMシンボルの有効シンボルの長さ、すなわち、ガードインターバルを含まない長さである有効シンボル長が、Tu［秒］であり、OFDMのサブキャリアどうしの間隔が、Fc［Hz］であるとすると、式Fc=1/Tuの関係が成り立つ。
【００１３】
OFDMでは、図１に示したように、OFDMシンボルの先頭に、ガードインターバルを設けることで、マルチパスに対する耐性を向上させている。
【００１４】
地上ディジタル放送では、OFDM伝送フレームと呼ばれる単位が定義され、このOFDM伝送フレームは、複数のOFDMシンボルによって構成される。
【００１５】
例えば、ISDB-T規格においては、２０４個のOFDMシンボルで、１つのOFDM伝送フレームが構成される。そして、このOFDM伝送フレームを単位として、パイロット信号を挿入する位置が、あらかじめ定められている。
【００１６】
すなわち、各サブキャリアの変調に、QAM系の変調を用いるOFDMにおいては、送信時に、マルチパス等により、データのOFDMを行って得られるOFDM信号のサブキャリアの振幅や位相が、サブキャリアごとに異なる影響を受ける。
【００１７】
このため、受信装置では、送信装置から受信したOFDM信号のサブキャリアの振幅及び位相が、送信装置が送信したOFDM信号のサブキャリアの振幅及び位相に等しくなるように、送信装置から受信したOFDM信号を等化する歪み補正を行う。
【００１８】
すなわち、OFDMでは、送信装置において、振幅及び位相があらかじめ定められている既知のパイロット信号が、OFDMシンボルを構成する伝送シンボル（サブキャリアに対するシンボル）内に離散的に挿入される。そして、受信装置において、パイロット信号の振幅及び位相に基づいて、伝送路の特性（周波数特性）である伝送路特性が推定され、その伝送路特性を表す伝送路特性データを用いて、OFDM信号の歪み補正が行われる。
【００１９】
図２は、OFDMシンボル内の、パイロット信号の配置パターンを示している。
【００２０】
なお、図２において（後述する図５及び図６でも同様）、横軸は、OFDM信号のサブキャリアを特定するサブキャリア番号を表し、縦軸は、OFDM信号のOFDMシンボルを特定するOFDMシンボル番号を表す。
【００２１】
サブキャリア番号は、周波数に対応し、OFDMシンボル番号は、時間に対応する。
【００２２】
図２において、丸印（白丸印、及び、黒丸印）は、OFDM信号のサブキャリア、あるいは、OFDMシンボルを構成する伝送シンボル（送信装置側で、サブキャリアを変調するデータとしての、IQコンスタレーション(constellation)上のシンボル）を表す。
【００２３】
また、図２において、黒丸印は、パイロット信号のサブキャリアであるパイロットキャリアを表す。
【００２４】
パイロットキャリアは、OFDM信号の、あらかじめ定められた複数の位置に配置される。
【００２５】
すなわち、例えば、ISDB-T規格では、パイロット信号（パイロットキャリア）は、時間方向には、４個のOFDMシンボル（OFDMシンボル番号）ごとに配置され、周波数方向には、１２個のサブキャリア（サブキャリア番号）ごとに配置される。
【００２６】
図３は、OFDM信号を受信する、従来の受信装置の一例の構成を示している。
【００２７】
図３において、受信装置は、アンテナ１０１、チューナ１０２、BPF（バンドパスフィルタ）１０３、A／D(Analog/Digital)変換部１０４、直交復調部１０５、オフセット補正部１０６、シンボルタイミング再生部１０７、FFT部１０８、伝送路特性推定部１０９、
伝送路歪み補正部１１０、及び、誤り訂正部１１１を備えている。
【００２８】
アンテナ１０１は、図示せぬ放送局の送信装置から送信（放送）されてくるOFDM信号の放送波を受信し、その放送波を、RF(Radio Frequency)信号に変換して、チューナ１０２に供給する。
【００２９】
チューナ１０２は、演算部１０２Ａ及び局部発振器１０２Ｂからなり、アンテナ１０１からのRF信号は、演算部１０２Ａに供給される。
【００３０】
チューナ１０２では、局部発振器１０２Ｂが、所定の周波数の正弦波の信号を発振し、演算部１０２Ａに供給する。
【００３１】
さらに、チューナ１０２では、演算部１０２Ａが、アンテナ１０１からのRF信号と、局部発振器１０２Ｂからの信号とを乗算することにより、RF信号を、IF(Intermidiate Frequency)信号に周波数変換し、BPF１０３に供給する。
【００３２】
BPF１０３は、チューナ１０２からのIF信号をフィルタリングし、A/D変換部１０４に供給する。A/D変換部１０４は、BPF１０３からのIF信号をA/D変換し、その結果得られるディジタル信号のIF信号を、直交復調部１０５に供給する。
【００３３】
直交復調部１０５は、所定の周波数（キャリア周波数）のキャリアを用いて、A/D変換部１０４からのIF信号を直交復調し、その結果得られるベースバンドのOFDM信号を出力する。
【００３４】
ここで、直交復調部１０５が出力するOFDM信号は、FFT演算がされる前（送信装置側で、IQコンスタレーション上の伝送シンボルがIFFT演算された直後）の時間領域の信号であり、以下、OFDM時間領域信号ともいう。
【００３５】
OFDM時間領域信号は、実軸成分（I(In Phase)成分）と虚軸成分（Q(Quadrature Phase)成分）とを含む、複素数で表される複素信号である。
【００３６】
OFDM時間領域信号は、直交復調部１０５からオフセット補正部１０６に供給される。
【００３７】
オフセット補正部１０６は、直交復調部１０５からのOFDM時間領域信号を対象として、A／D変換部１０４でのサンプリングオフセット（サンプリングのタイミングのずれ）の補正や、直交復調部１０５のキャリアの周波数のオフセット（送信装置で用いられているキャリアの周波数とのずれ）の補正を行う。
【００３８】
さらに、オフセット補正部１０６は、例えば、同一チャンネル妨害や隣接チャンネル妨害を除去するためのフィルタリング等を、必要に応じて行う。
【００３９】
オフセット補正部１０６で処理が施されたOFDM時間領域信号は、シンボルタイミング再生部１０７とFFT部１０８とに供給される。
【００４０】
シンボルタイミング再生部１０７には、オフセット補正部１０６から、OFDM時間領域信号が供給される他、伝送路特性推定部１０９から、伝送路特性が供給される。
【００４１】
シンボルタイミング再生部１０７は、オフセット補正部１０６からのOFDM時間領域信号や、伝送路特性推定部１０９からの伝送路特性に基づき、FFT部１０８でのFFT演算の対象とする、OFDM時間領域信号の区間であるFFT区間を表すシンボル同期信号を生成する。そして、シンボルタイミング再生部１０７は、シンボル同期信号を、FFT部１０８に供給する。
【００４２】
FFT部１０８は、オフセット補正部１０６からのOFDM時間領域信号から、シンボルタイミング再生部１０７から供給されるシンボル同期信号に従って、FFT区間のOFDM時間領域信号（のサンプル値）を抽出し、FFT演算を行う。OFDM時間領域信号のFFT演算により、サブキャリアで送信されてきたデータ、すなわち、IQコンスタレーション上の伝送シンボルを表すOFDM信号が得られる。
【００４３】
ここで、OFDM時間領域信号のFFT演算により得られるOFDM信号は、周波数領域の信号であり、以下、OFDM周波数領域信号ともいう。
【００４４】
FFT部１０８は、FFT演算によって得られたOFDM周波数領域信号を、伝送路特性推定部１０９と、伝送路歪み補正部１１０とに供給する。
【００４５】
伝送路特性推定部１０９は、FFT部１０８からのOFDM周波数領域信号において、図２に示したように配置されたパイロット信号を用いて、OFDM信号の各サブキャリアに対する伝送路特性を推定する。そして、伝送路特性推定部１０９は、その伝送路特性を表す伝送路特性データ（伝送路特性の推定値）を、シンボルタイミング再生部１０７や伝送路歪み補正部１１０に供給する。
【００４６】
伝送路歪み補正部１１０は、FFT部１０８からのOFDM周波数領域信号を対象とし、OFDM信号のサブキャリアが伝送路で受けた振幅と位相の歪みを補正する歪み補正を、伝送路特性推定部１０９からの伝送路特性データを用いて行い（例えば、OFDM周波数領域信号を、伝送路特性データで除算することで、OFDM周波数領域信号の歪み補正を行い）、その歪み補正後のOFDM周波数領域信号を、誤り訂正部１１１に供給する。
【００４７】
誤り訂正部１１１は、伝送路歪み補正部１１０からのOFDM周波数領域信号を対象として、必要な誤り訂正処理、すなわち、例えば、デインターリーブや、デパンクチャ(de-punctured)、ビタビ復号、拡散信号除去、RS（リードソロモン）復号を行い、その結果得られる復号データを出力する。
【００４８】
図４は、図３の伝送路特性推定部１０９の構成例を示している。
【００４９】
図４において、伝送路特性推定部１０９は、パイロット抽出部２０１、基準信号生成部２０２、演算部２０３、時間方向特性推定部２０４、及び、周波数方向特性推定部２０５を備える。また、周波数方向特性推定部２０５は、位相調整部２０６、位相オフセット算出部２０７、アップサンプル部２０８、及び、補間用フィルタ２０９を備える。
【００５０】
FFT部１０８から伝送路特性推定部１０９に供給されるOFDM周波数領域信号は、パイロット抽出部２０１に供給される。
【００５１】
パイロット抽出部２０１は、FFT部１０８からのOFDM周波数領域信号から、例えば、図２に示したように配置されたパイロット信号を抽出し、演算部２０３に供給する。
【００５２】
基準信号生成部２０２は、送信装置がOFDM信号に含ませるのと同一のパイロット信号を生成し、OFDM周波数領域信号に含まれるパイロット信号に対する伝送路特性の推定において基準となる基準信号として、演算部２０３に供給する。
【００５３】
ここで、ISDB−T規格やDVB−T規格では、パイロット信号は、所定のデータをBPSK(Binary Phase Shift Keying)変調した信号であり、基準信号生成部２０２は、その所定のデータをBPSK変調した信号を生成し、基準信号として、演算部２０３に供給する。
【００５４】
なお、パイロット信号となる所定のデータは、そのパイロット信号（の伝送シンボル）が配置される位置のOFDMシンボル番号、及び、サブキャリア番号に対して、あらかじめ決まっている。
【００５５】
基準信号生成部２０２は、パイロット抽出部２０１で抽出されるパイロット信号（の伝送シンボル）の位置のOFDMシンボル番号、及び、サブキャリア番号に対して、あらかじめ決まっている所定のデータをBPSK変調したパイロット信号を生成し、基準信号として、演算部２０３に供給する。
【００５６】
演算部２０３は、パイロット抽出部２０１からのパイロット信号を、基準信号生成部２０２からの基準信号で除算することにより、パイロット信号に対する伝送路特性（以下、パイロット信号の位置の伝送路特性ともいう）を推定し、その伝送路特性を表す伝送路特性データを、時間方向特性推定部２０４に供給する。
【００５７】
ここで、OFDM信号が伝送路で受ける歪み（マルチパス等に起因する歪み）は、OFDM信号に対する乗算となる。したがって、OFDM信号が伝送路で受ける歪み成分、つまり、パイロット信号の位置の伝送路特性の推定は、パイロット抽出部２０１からのパイロット信号を、基準信号で除算することで行うことができる。
【００５８】
時間方向特性推定部２０４は、パイロット信号の位置の伝送路特性を表す伝送路特性データを、シンボル番号方向（時間方向）に用いて、時間方向の補間がされた伝送路特性を推定し、その伝送路特性を表す伝送路特性データ（以下、時間方向補間特性データともいう）を、周波数方向特性推定部２０５に供給する。
【００５９】
なお、時間方向特性推定部２０４で得られる時間方向補間特性データは、周波数方向特性推定部２０５の他、必要に応じて、シンボルタイミング再生部１０７に供給される。シンボルタイミング再生部１０７では、必要に応じて、時間方向補間特性データから、マルチパスの遅延拡がり等が求められ、その遅延拡がりを用いて、シンボル同期信号が生成される。
【００６０】
周波数方向特性推定部２０５は、時間方向特性推定部２０４からの時間方向補間特性データをフィルタリングすることにより、周波数方向の補間がされた伝送路特性、すなわち、OFDMシンボルのサブキャリアのそれぞれに対する伝送路特性を推定し、その伝送路特性を表す伝送路特性データ（以下、周波数方向補間特性データともいう）を、伝送路歪み補正部１１０に供給する。
【００６１】
具体的には、周波数方向特性推定部２０５では、時間方向特性推定部２０４からの時間方向補間特性データが、位相調整部２０６に供給される。
【００６２】
また、周波数方向特性推定部２０５では、位相オフセット算出部２０７が、時間方向特性推定部２０４からの時間方向補間特性データの位相を調整する量である位相オフセットを算出し、位相調整部２０６に供給する。
【００６３】
位相調整部２０６は、時間方向特性推定部２０４からの時間方向補間特性データの位相を、位相オフセット算出部２０７からの位相オフセットに応じて調整し、位相の調整後の時間方向補間特性データを、アップサンプル部２０８に供給する。
【００６４】
アップサンプル部２０８は、位相調整部２０６からの時間方向補間特性データのサンプル値どうしの間に、新たなサンプル値としての、例えば、２個のゼロを補間することにより、データ量（サンプル値の数）を元の３倍にした時間方向補間特性データを生成し、補間用フィルタ２０９に供給する。
【００６５】
補間用フィルタ２０９は、周波数方向の補間のためのフィルタリングを行うLPF(Low Pass Filter)であり、アップサンプル部２０８からの時間方向補間特性データをフィルタリングする。
【００６６】
補間用フィルタ２０９によるフィルタリングにより、アップサンプル部２０８でのゼロの補間によって時間方向補間特性データに生じる繰り返し成分が除去され、周波数方向の補間がされた伝送路特性、すなわち、OFDMシンボルのサブキャリアのそれぞれに対する伝送路特性を表す周波数方向補間特性データが求められる。
【００６７】
以上のようにして補間用フィルタ２０９で得られた周波数方向補間特性データは、OFDM信号の歪み補正に用いる伝送路特性データとして、伝送路歪み補正部１１０に供給される。
【００６８】
図５は、図４の時間方向特性推定部２０４が、図２に示した配置のパイロット信号の位置の伝送路特性データを用いて求める、時間方向の補間がされた伝送路特性を表す時間方向補間特性データを説明する図である。
【００６９】
図５において、丸印（白丸印、及び、斜線を付した丸印）は、OFDM信号のサブキャリア（伝送シンボル）を表す。
【００７０】
また、図２において、斜線を付した丸印は、時間方向特性推定部２０４での処理後に伝送路特性が推定されている（伝送路特性データ（時間方向補間特性データ）のサンプル値が存在する）サブキャリアを表す
【００７１】
図５に示すように、時間方向特性推定部２０４では、各OFDMシンボルについて、３個のサブキャリアごとに、伝送路特性を得ることができる。
【００７２】
図６は、図４の周波数方向特性推定部２０５が、図５に斜線を付した丸印で示した、時間方向の補間がされた伝送路特性（３個のサブキャリアごとの伝送路特性）を表す時間方向補間特性データ用いて求める、周波数方向の補間がされた伝送路特性を表す周波数方向補間特性データを説明する図である。
【００７３】
周波数方向特性推定部２０５は、３個のサブキャリアごとに伝送路特性が得られている時間方向補間特性データをサブキャリア番号方向（周波数方向）に用い、図６において斜線を付した長方形で囲む、OFDMシンボルのサブキャリアのそれぞれの伝送路特性（周波数方向の補間がされた伝送路特性）を求める。
【００７４】
すなわち、周波数方向特性推定部２０５では、位相調整部２０６において、時間方向特性推定部２０４からの時間方向補間特性データの位相が、位相オフセット算出部２０７から供給される位相オフセットに従って調整され、位相の調整後の時間方向補間特性データが、アップサンプル部２０８に供給される。
【００７５】
アップサンプル部２０８では、位相調整部２０６からの時間方向補間特性データのサンプル値どうしの間に、新たなサンプル値としての、２個のゼロを補間することにより、データ量を元の３倍にした時間方向補間特性データを生成し、補間用フィルタ２０９に供給する。
【００７６】
すなわち、位相調整部２０６からアップサンプル部２０８に供給される時間方向補間特性データは、時間方向特性推定部２０４で得られる、図５に示した、３個のサブキャリアごとの伝送路特性を表すサンプル値の系列である。
【００７７】
したがって、位相調整部２０６からアップサンプル部２０８に供給される時間方向補間特性データについては、伝送路特性が推定されているサブキャリアどうしの間に、伝送路特性が推定されていないサブキャリアが２個だけ存在する。このため、アップサンプル部２０８では、伝送路特性が推定されていない２個のサブキャリアに対する伝送路特性のサンプル点となる２個のゼロが補間される。
【００７８】
以上のように、アップサンプル部２０８で補間されるゼロの数は、時間方向特性推定部２０４で得られる時間方向補間特性データが、幾つのサブキャリアごとの伝送路特性を表す伝送路特性データであるかによって異なる。
【００７９】
上述のように、アップサンプル部２０８において、位相調整部２０６からの時間方向補間特性データのサンプル値どうしの間に、２個のゼロが補間されると、その補間の結果得られる時間方向補間特性データ（以下、０値補間特性データともいう）は、時間領域において、繰り返し成分を含むものとなる。
【００８０】
すなわち、時間方向補間特性データ（伝送路特性データ）は、OFDM周波数領域信号から求められるデータであり、周波数領域のデータである。
【００８１】
そして、時間方向補間特性データと、その時間方向補間特性データにゼロを補間して得られる０値補間特性データとは、アナログ信号としては、同一の信号であるので、時間方向補間特性データの時間領域のデータと、０値補間特性データの時間領域のデータとは、周波数成分が同一のデータとなる。
【００８２】
また、時間方向補間特性データは、３個のサブキャリアごとの伝送路特性を表すサンプル値の系列である。サブキャリアどうしの間隔は、上述したように、Fc=1/Tu［Hz］であるから、３個のサブキャリアごとの伝送路特性を表すサンプル値の系列である時間方向補間特性データのサンプル値どうしの間隔は、3Fc=3/Tu［Hz］である。
【００８３】
したがって、時間方向補間特性データのサンプル値どうしの間に、２個のゼロが補間されることによって得られる０値補間特性データのサンプル値どうしの間隔は、Fc=1/Tu［Hz］となる。
【００８４】
一方、サンプル値どうしの間隔が3Fc=3/Tu［Hz］の時間方向補間特性データは、時間領域では、1/3Fc=Tu/3［秒］を１周期とするデータである。
【００８５】
また、サンプル値どうしの間隔がFc=1/Tu［Hz］の０値補間特性データは、時間領域では、1/Fc=Tu［秒］を１周期とするデータ、すなわち、時間方向補間特性データの周期の３倍を１周期とするデータである。
【００８６】
以上のように、時間方向補間特性データの時間領域のデータと周波数成分が同一で、かつ、時間方向補間特性データの時間領域のデータの周期の３倍を１周期とする０値補間特性データの時間領域のデータは、時間方向補間特性データの時間領域のデータが３回繰り返されたものとなる。
【００８７】
すなわち、図７は、０値補間特性データの時間領域のデータを示している。
【００８８】
なお、以下では、説明を簡単にするために、マルチパスが２つのパスから構成される（２波環境である）こととする。
【００８９】
図７において（後述する図８、図９、及び、図１１ないし図１３でも同様）、横軸は、時間を表し、縦軸は、パス（OFDM信号）のパワーレベルを表している。
【００９０】
周期がTu［秒］の０値補間特性データ（の時間領域のデータ）は、周期がTu/3［秒］の時間方向補間特性データ（の時間領域のデータ）に対応するマルチパスが、３回繰り返されたものとなる。
【００９１】
いま、０値補間特性データにおいて、３回繰り返される時間方向補間特性データに対応するマルチパスのうちの、２回目（中央）のマルチパス（図７において斜線を付して示す）を、周波数方向補間特性データとして抽出する所望マルチパスということとすると、周波数方向補間特性データに対応する所望マルチパスを得るには、他のマルチパスを除去する必要がある。
【００９２】
そこで、補間用フィルタ２０９（図４）は、０値補間特性データをフィルタリングすることで、所望マルチパス以外のマルチパスを除去し、これにより、周波数方向補間特性データに対応する所望マルチパスを抽出する。
【００９３】
なお、０値補間特性データは、周波数領域のデータであり、補間用フィルタ２０９での０値補間特性データのフィルタリングは、補間用フィルタ２０９のフィルタ係数と、周波数領域のデータである０値補間特性データとの畳み込みとなる。
【００９４】
周波数領域での畳み込みは、時間領域での窓関数との乗算になるので、補間用フィルタ２０９での０値補間特性データのフィルタリングは、時間領域において、０値補間特性データ（の時間領域のデータ）と、補間用フィルタ２０９の通過帯域に対応する窓関数との乗算として表すことができる。
【００９５】
図７では（後述する図８、図９、及び、図１１ないし図１３でも同様）、０値補間特性データのフィルタリングが、０値補間特性データと、補間用フィルタ２０９の通過帯域（に対応する窓関数）との乗算として表されている。
【００９６】
０値補間特性データにおいて、３回繰り返されているマルチパスの周期は、Tu/3［秒］であるので、補間用フィルタ２０９を、例えば、３回繰り返されているマルチパスの周期Tu/3［秒］と同一の帯域幅の、-Tu/6ないし+Tu/6の帯域を通過帯域とするLPFとすることで、周波数方向補間特性データに対応する所望マルチパスを抽出することができる。
【００９７】
なお、補間用フィルタ２０９の通過帯域の帯域幅を調整することにより、０値補間特性データ（時間方向補間特性データ）に含まれる雑音を低減することができる（例えば、特許文献１を参照）。
【００９８】
また、位相調整部２０６（図４）では、所望マルチパスが、図７に示したように、補間用フィルタ２０９の通過帯域内に含まれるように、時間方向補間特性データの位相を、位相オフセット算出部２０７から供給される位相オフセットに応じて調整する。
【００９９】
すなわち、図８は、位相調整部２０６において、時間方向補間特性データの位相の調整を行わない場合の、その時間方向補間特性データから得られる０値補間特性データを示している。
【０１００】
位相調整部２０６において、時間方向補間特性データの位相の調整を行わない場合には、所望マルチパス（図８において斜線で示す）の一部のパスが、補間用フィルタ２０９の通過帯域から外れ、さらに、例えば、所望マルチパスの前（図８において左）のマルチパスの一部のパスが、プリエコーとして、通過対域内に含まれることが生じる。
【０１０１】
位相調整部２０６では、所望マルチパスの全体が、補間用フィルタ２０９の通過帯域内に含まれるように、時間方向補間特性データの位相の調整が行われる。
【０１０２】
位相調整部２０６による時間方向補間特性データの位相の調整は、その時間方向補間特性データのサンプル値としての複素信号（I成分、及びQ成分）を、そのサンプル値に対応するサブキャリアのサブキャリア番号と、位相オフセット算出部２０７で算出された位相オフセットとに応じて回転することで行われる。
【０１０３】
なお、位相オフセット算出部２０７では、例えば、時間方向補間特性データから、マルチパスの遅延拡がりが求められ、その遅延拡がりを用いて、位相オフセットが算出される（例えば、特許文献１を参照）。
【０１０４】
【特許文献１】特開2005-312027号公報
【発明の開示】
【発明が解決しようとする課題】
【０１０５】
以上のように、時間方向補間特性データにゼロを補間してフィルタリングすることにより、周波数方向補間特性データ（OFDMシンボルのサブキャリアのそれぞれに対する伝送路特性を表すサンプル値の系列）を求める場合には、時間方向補間特性データにおいて、幾つのサブキャリアごとに伝送路特性を表すサンプル値が得られているかによって、伝送路特性の推定が制限される。
【０１０６】
すなわち、時間方向補間特性データにおいて、N個のサブキャリアごとに伝送路特性を表すサンプル値が得られている場合、時間方向補間特性データにゼロを補間してフィルタリングすることにより、周波数方向補間特性データを求めるには、所望マルチパスのうちの最初のパス（最初に到達するパス）と、最後のパス（最後に到達するパス）との時間差である最大遅延時間が、Tu/N［秒］以下である必要がある。
【０１０７】
具体的には、例えば、上述のISDB-TやDVB-T規格では、時間方向補間特性データにおいて、３個のサブキャリアごとに伝送路特性を表すサンプル値が得られるので、伝送路特性の推定にあたっては、最大遅延時間が、Tu/3［秒］以下である必要がある。
【０１０８】
これは、図７で説明したように、０値補間特性データは、周期がTu/3［秒］の時間方向補間特性データ（の時間領域のデータ）に対応するマルチパスが、３回繰り返されたものとなるために、補間用フィルタ２０９（図４）のフィルタリングによって、所望マルチパスだけを抽出するには、補間用フィルタ２０９の通過帯域の帯域幅を、時間方向補間特性データの周期に等しいTu/3［秒］以下にする必要があるからである。
【０１０９】
図９は、マルチパスの最大遅延時間がTu/3［秒］を超える時間である場合の、０値補間特性データを示している。
【０１１０】
マルチパスの最大遅延時間がTu/3［秒］を超える時間である場合には、所望マルチパス（図９において斜線で示す）の最初のパスから最初のパスまでの全体が、補間用フィルタ２０９の通過帯域内に収まらない。さらに、補間用フィルタ２０９の通過帯域には、他のマルチパスの一部のパスが入り込んだ状態となる。
【０１１１】
この場合、補間用フィルタ２０９によるフィルタリングでは、所望マルチパスだけを抽出することができず、その結果、補間用フィルタ２０９で得られる周波数方向補間特性データが表す伝送路特性は、精度が劣化したものとなる。
【０１１２】
以上のように、マルチパスの最大遅延時間がTu/N［秒］を超える場合には、時間方向補間特性データの位相、及び、通過帯域が１つの帯域だけの補間用フィルタ２０９の通過帯域の帯域幅を、どのように調整しても、所望マルチパスの全体だけを、補間用フィルタ２０９の通過帯域内に収めることが困難である。そのため、伝送路特性の推定精度（推定の精度）が劣化し、ひいては、受信装置の受信性能が劣化する。
【０１１３】
本発明は、このような状況に鑑みてなされたものであり、伝送路特性の推定精度の劣化を防止することができるようにするものである。
【課題を解決するための手段】
【０１１４】
本発明の第１の側面の受信装置、又は、プログラムは、パイロット信号が、あらかじめ定められた複数の位置に配置されたOFDM(Orthogonal Frequency Division Multiplexing)信号から前記パイロット信号を抽出するパイロット抽出手段と、前記パイロット信号を用いて、前記パイロット信号に対する、前記OFDM信号の伝送路の特性である伝送路特性を推定し、その伝送路特性を表す伝送路特性データを出力する第１の推定手段と、前記パイロット信号に対する前記伝送路特性データを用いて、時間方向の補間がされた前記伝送路特性を推定し、その伝送路特性を表す伝送路特性データを出力する第２の推定手段と、時間方向の補間がされた前記伝送路特性を表す伝送路特性データを、補間に用いる補間用フィルタでフィルタリングすることにより、周波数方向の補間がされた前記伝送路特性を推定し、その伝送路特性を表す伝送路特性データを出力する第３の推定手段と、前記周波数方向の補間がされた前記伝送路特性を表す伝送路特性データを用いて、前記OFDM信号の歪み補正を行う歪み補正手段と、前記補間用フィルタの通過帯域を制御するフィルタ制御手段であって、前記補間用フィルタの前記通過帯域を複数の帯域とする制御が可能なフィルタ制御手段とを備える受信装置、又は、受信装置として、コンピュータを機能させるためのプログラムである。
【０１１５】
本発明の第１の側面の信号処理方法は、パイロット信号が、あらかじめ定められた複数の位置に配置されたOFDM(Orthogonal Frequency Division Multiplexing)信号を受信する受信装置が、前記OFDM信号から前記パイロット信号を抽出し、前記パイロット信号を用いて、前記パイロット信号に対する、前記OFDM信号の伝送路の特性である伝送路特性を推定し、その伝送路特性を表す伝送路特性データを出力し、前記パイロット信号に対する前記伝送路特性データを用いて、時間方向の補間がされた前記伝送路特性を推定し、その伝送路特性を表す伝送路特性データを出力し、時間方向の補間がされた前記伝送路特性を表す伝送路特性データを、補間に用いる補間用フィルタでフィルタリングすることにより、周波数方向の補間がされた前記伝送路特性を推定し、その伝送路特性を表す伝送路特性データを出力し、前記周波数方向の補間がされた前記伝送路特性を表す伝送路特性データを用いて、前記OFDM信号の歪み補正を行う場合に、前記補間用フィルタの通過帯域の制御として、前記補間用フィルタの通過帯域を複数の帯域とする制御を行う信号処理方法である。
【０１１６】
以上のような第１の側面においては、前記OFDM信号から前記パイロット信号が抽出され、前記パイロット信号を用いて、前記パイロット信号に対する、前記OFDM信号の伝送路の特性である伝送路特性が推定されて、その伝送路特性を表す伝送路特性データを出力される。さらに、前記パイロット信号に対する前記伝送路特性データを用いて、時間方向の補間がされた前記伝送路特性が推定され、その伝送路特性を表す伝送路特性データが出力される。また、時間方向の補間がされた前記伝送路特性を表す伝送路特性データを、補間に用いる補間用フィルタでフィルタリングすることにより、周波数方向の補間がされた前記伝送路特性が推定され、その伝送路特性を表す伝送路特性データが出力される。そして、前記周波数方向の補間がされた前記伝送路特性を表す伝送路特性データを用いて、前記OFDM信号の歪み補正が行われる。この場合に、前記補間用フィルタの通過帯域の制御として、前記補間用フィルタの通過帯域を複数の帯域とする制御が行われる。
【０１１７】
本発明の第２の側面の受信装置、又は、プログラムは、パイロット信号が、あらかじめ定められた複数の位置に配置されたOFDM(Orthogonal Frequency Division Multiplexing)信号から前記パイロット信号を抽出するパイロット抽出手段と、前記パイロット信号を用いて、前記パイロット信号に対する、前記OFDM信号の伝送路の特性である伝送路特性を推定し、その伝送路特性を表す伝送路特性データを出力する第１の推定手段と、前記パイロット信号に対する前記伝送路特性データを用いて、時間方向の補間がされた前記伝送路特性を推定し、その伝送路特性を表す伝送路特性データを出力する第２の推定手段と、時間方向の補間がされた前記伝送路特性を表す伝送路特性データを、通過帯域が異なる複数の補間用フィルタそれぞれでフィルタリングすることにより、周波数方向の補間がされた複数の前記伝送路特性を推定し、その伝送路特性を表す伝送路特性データを出力する第３の推定手段と、前記周波数方向の補間がされた複数の前記伝送路特性を表す伝送路特性データそれぞれを用いて、前記OFDM信号の歪み補正を行う複数の歪み補正手段と、歪み補正後の複数の前記OFDM信号それぞれの信号品質を求める信号品質計算手段と、前記信号品質に基づいて、歪み補正後の複数の前記OFDM信号から、１つの前記OFDM信号を選択する選択手段とを備え、複数の前記補間用フィルタのうちの少なくとも１つの通過帯域が、複数の帯域になっている受信装置、又は、受信装置として、コンピュータを機能させるためのプログラムである。
【０１１８】
本発明の第２の側面の信号処理方法は、パイロット信号が、あらかじめ定められた複数の位置に配置されたOFDM(Orthogonal Frequency Division Multiplexing)信号を受信する受信装置が、前記OFDM信号から前記パイロット信号を抽出し、前記パイロット信号を用いて、前記パイロット信号に対する、前記OFDM信号の伝送路の特性である伝送路特性を推定し、その伝送路特性を表す伝送路特性データを出力し、前記パイロット信号に対する前記伝送路特性データを用いて、時間方向の補間がされた前記伝送路特性を推定し、その伝送路特性を表す伝送路特性データを出力し、時間方向の補間がされた前記伝送路特性を表す伝送路特性データを、通過帯域が異なる複数の補間用フィルタそれぞれでフィルタリングすることにより、周波数方向の補間がされた複数の前記伝送路特性を推定し、その伝送路特性を表す伝送路特性データを出力し、前記周波数方向の補間がされた複数の前記伝送路特性を表す伝送路特性データそれぞれを用いて、前記OFDM信号の歪み補正を行い、歪み補正後の複数の前記OFDM信号それぞれの信号品質を求め、前記信号品質に基づいて、歪み補正後の複数の前記OFDM信号から、１つの前記OFDM信号を選択する場合に、複数の前記補間用フィルタのうちの少なくとも１つの通過帯域が、複数の帯域になっている信号処理方法である。
【０１１９】
以上のような第２の側面においては、前記OFDM信号から前記パイロット信号が抽出され、前記パイロット信号を用いて、前記パイロット信号に対する、前記OFDM信号の伝送路の特性である伝送路特性が推定されて、その伝送路特性を表す伝送路特性データが出力される。さらに、前記パイロット信号に対する前記伝送路特性データを用いて、時間方向の補間がされた前記伝送路特性が推定され、その伝送路特性を表す伝送路特性データが出力される。また、時間方向の補間がされた前記伝送路特性を表す伝送路特性データを、通過帯域が異なる複数の補間用フィルタそれぞれでフィルタリングすることにより、周波数方向の補間がされた複数の前記伝送路特性が推定され、その伝送路特性を表す伝送路特性データが出力される。そして、前記周波数方向の補間がされた複数の前記伝送路特性を表す伝送路特性データそれぞれを用いて、前記OFDM信号の歪み補正が行われ、歪み補正後の複数の前記OFDM信号それぞれの信号品質が求められる。さらに、前記信号品質に基づいて、歪み補正後の複数の前記OFDM信号から、１つの前記OFDM信号が選択される。この場合に、複数の前記補間用フィルタのうちの少なくとも１つの通過帯域は、複数の帯域になっている。
【０１２０】
なお、受信装置は、独立した装置であっても良いし、１つの装置を構成している内部ブロックであっても良い。
【０１２１】
また、プログラムは、伝送媒体を介して伝送することにより、又は、記録媒体に記録して、提供することができる。
【発明の効果】
【０１２２】
本発明の第１及び第２の側面によれば、伝送路特性の推定精度の劣化を防止することができる。
【発明を実施するための最良の形態】
【０１２３】
図１０は、本発明を適用した受信装置の第１実施の形態の構成例を示すブロック図である。
【０１２４】
なお、図中、図３及び図４の受信装置と対応する部分については、同一の符号を付してあり、以下では、その説明は、適宜省略する。
【０１２５】
また、図１０では、図３のアンテナ１０１、チューナ１０２、BPF１０３、A／D変換部１０４、直交復調部１０５、オフセット補正部１０６、シンボルタイミング再生部１０７、及び、誤り訂正部１１１の図示は、省略してある。
【０１２６】
図１０において、受信装置は、伝送路特性推定部１０９に代えて、伝送路特性推定部３０１が設けられている他は、図３の場合と同様に構成されている。
【０１２７】
伝送路特性推定部３０１は、パイロット抽出部２０１、基準信号生成部２０２、演算部２０３、及び、時間方向特性推定部２０４が設けられている点で、図４の伝送路特性推定部１０９と共通する。
【０１２８】
但し、伝送路特性推定部３０１は、周波数方向特性推定部２０５（図４）に代えて、周波数方向特性推定部３１１が設けられ、かつ、フィルタ制御部３１２が新たに設けられている点で、図４の伝送路特性推定部１０９と相違している。
【０１２９】
周波数方向特性推定部３１１には、時間方向特性推定部２０４から、時間方向補間特性データが供給される。
【０１３０】
周波数方向特性推定部３１１は、時間方向特性推定部２０４からの時間方向補間特性データを、補間に用いる補間用フィルタ３２１でフィルタリングすることにより、周波数方向の補間がされた伝送路特性を推定し、その伝送路特性を表す伝送路特性データ（周波数方向補間特性データ）を出力する。
【０１３１】
すなわち、周波数方向特性推定部３１１は、アップサンプル部２０８と、補間用フィル３２１とから構成される。
【０１３２】
アップサンプル部２０８は、図４の場合と同様に、時間方向特性推定部２０４から供給される時間方向補間特性データのサンプル値どうしの間に、２個のゼロを補間し、その結果得られる０値補間特性データを、補間用フィルタ３２１に供給する。
【０１３３】
補間用フィルタ３２１は、フィルタ制御部３１２の制御に従って、通過帯域が可変のフィルタである。補間用フィルタ３２１は、アップサンプル部２０８からの０値補間特性データをフィルタリングすることにより、周波数方向の補間がされた伝送路特性を表す伝送路特性データ（周波数方向補間特性データ）を得て、伝送路歪み補正部１１０に出力する。
【０１３４】
フィルタ制御部３１２は、補間用フィルタ３２１の通過帯域を制御する。補間用フィルタ３２１の通過帯域の制御としては、補間用フィルタ３２１の通過帯域の帯域幅、及び、位置（位相）の制御の他、補間用フィルタ３２１の通過帯域を１つの帯域とする制御、及び、２つの帯域等の複数の帯域とする制御が可能になっている。
【０１３５】
すなわち、フィルタ制御部３１２は、アップサンプル部３３１、補間フィルタ３３２、伝送路歪み補正部３３３、信号品質計算部３３４、及び、通過帯域設定部３３５から構成される。
【０１３６】
アップサンプル部３３１には、時間方向特性推定部２０４から、時間方向補間特性データが供給される。アップサンプル部３３１は、アップサンプル部２０８と同様に、時間方向特性推定部２０４からの時間方向補間特性データのサンプル値どうしの間に、２個のゼロを補間し、その結果得られる０値補間特性データを、補間用フィルタ３３２に供給する。
【０１３７】
補間用フィルタ３３２には、アップサンプル部３３１から、０値補間特性データが供給される他、通過帯域設定部３３５から、係数が供給される。
【０１３８】
補間用フィルタ３３２は、通過帯域設定部３３５からの係数を、フィルタ係数として、アップサンプル部３３１からの０値補間特性データをフィルタリングすることにより、周波数方向補間特性データを得て、伝送路歪み補正部３３３に出力する。
【０１３９】
伝送路歪み補正部３３３には、補間用フィルタ３３２から、周波数方向補間特性データが供給される他、FFT部１０８が出力するOFDM周波数領域信号が供給される。
【０１４０】
伝送路歪み補正部３３３は、補間用フィルタ３３２からの周波数方向補間特性データを用いて、FFT部１０８からのOFDM周波数領域信号の歪み補正を行い、その歪み補正後のOFDM周波数領域信号を、信号品質計算部３３４に供給する。
【０１４１】
信号品質計算部３３４は、伝送路歪み補正部３３３からの、歪み補正後のOFDM周波数領域信号の信号品質を求め、通過帯域設定部３３５に供給する。
【０１４２】
ここで、歪み補正後のOFDM周波数領域信号の信号品質としては、例えば、MER(Modulation Error Ratio)を採用することができる。MERは、歪み補正後のOFDM周波数領域信号（のパイロット信号）のIQコンスタレーション上の点と、そのOFDM周波数領域信号（のパイロット信号）のIQコンスタレーション上の本来の点との距離（の平均値）に反比例し、値が大であるほど、信号品質が良いことを表す。
【０１４３】
通過帯域設定部３３５は、補間用フィルタ３３２の通過帯域となる帯域を設定し、その設定した帯域を通過帯域とするフィルタのフィルタ係数を求めて、補間用フィルタ３３２に供給することで、補間用フィルタ３３２の通過帯域を制御する。
【０１４４】
また、通過帯域設定部３３５は、信号品質計算部３３４から供給される信号品質等に応じて、フィルタ係数を、周波数方向特性推定部３１１の補間用フィルタ３２１に供給することで、補間用フィルタ３２１の通過帯域を制御する。
【０１４５】
次に、図１１ないし図１３を参照して、図１０のフィルタ制御部３１２の通過帯域設定部３３５による、補間用フィルタ３２１及び３３２の通過帯域の制御について説明する。
【０１４６】
通過帯域設定部３３５は、通過帯域として、１つの帯域を設定する他、複数の帯域を設定する。
【０１４７】
すなわち、通過帯域設定部３３５は、通過帯域として、図７ないし図９に示した、補間用フィルタ２０９（図４）の通過帯域と同様に、１つの帯域を設定することができる。
【０１４８】
さらに、通過帯域設定部３３５は、通過帯域として、２つの帯域等の複数の帯域を設定することができる。
【０１４９】
すなわち、図１１は、２つの帯域を通過帯域とするフィルタの特性としての窓関数を示している。
【０１５０】
通過帯域設定部３３５（図１０）では、図１１に示すように、低域の帯域と、高域の帯域の２つの帯域を、通過帯域として設定することができる。
【０１５１】
なお、図１１では、低域の帯域幅が、BW1に、高域の帯域幅が、BW2に、それぞれなっている。
【０１５２】
また、図１１では、高域の帯域については、その高域の帯域の、帯域幅BW2の1/2の分が、+Tu/2側から、-Tu/2側に（又は、-Tu/2側から、+Tu/2側に）、いわば折り返しており、見かけ上、２つの帯域に見えるが、実質的に、１つの帯域である。
【０１５３】
図１２は、２つの帯域を通過帯域とする他のフィルタの特性としての窓関数を示している。
【０１５４】
通過帯域設定部３３５（図１０）では、図１２に示すように、中域の２つの帯域を、通過帯域として設定することができる。
【０１５５】
なお、図１２では、中域の２つの帯域の帯域幅が、BW1とBW2に、それぞれなっている。
【０１５６】
また、図１１の通過帯域（窓関数）と、図１２の通過帯域とは、位置（位相）だけが異なっている。すなわち、図１１の通過帯域と、図１２の通過帯域とのうちのいずれか一方の通過帯域の位置をずらすことにより、その位置をずらした通過帯域は、他方の通過帯域と一致する。
【０１５７】
ここで、通過帯域設定部３３５では、２つの帯域を、通過帯域として設定することができる他、３以上の帯域を、通過帯域として設定することができる。
【０１５８】
但し、０値補間特性データのフィルタリングでは、エイリアジング(alias)成分（所望マルチパス以外のマルチパス）を除去しなければならないので、通過帯域の帯域幅の合計は、時間方向補間特性データの周期Tu/N以下でなければならない。
【０１５９】
すなわち、例えば、ISDB-TやDVB-T規格のOFDM信号については、図１１及び図１２の帯域幅BW1とBW2は、式BW1+BW2≦Tu/3を、拘束条件として満たさなければならない。
【０１６０】
図１３は、ISDB-TやDVB-T規格のOFDM信号について、拘束条件を満たす帯域幅BW1及びBW2の通過帯域のフィルタの特性としての窓関数を示している。
【０１６１】
図１３の通過帯域（窓関数）は、図１１の通過帯域の帯域幅BW1とBW2を、いずれも、Tu/6としたものになっている。
【０１６２】
図１３の通過帯域のフィルタによれば、マルチパスの最大遅延時間が、時間方向補間特性データの周期Tu/3［秒］を超える時間である場合に、通過帯域の位置（位相）を調整することで、所望マルチパス（図１３において斜線で示す）のすべてのパスを通過帯域内に収め、かつ、他のマルチパスが通過帯域に含まれないようにすることができる。
【０１６３】
以上のように、通過帯域設定部３３５は、補間用フィルタ３２１及び３３２の通過帯域として、１つの帯域を設定する他、複数の帯域を設定することができるので、マルチパスが、その最大遅延時間が時間方向補間特性データの周期Tu/3［秒］を超える長遅延のマルチパスであっても、補間用フィルタ３２１（図１０）において、所望マルチパスのみを抽出することができ、その結果、伝送路特性の推定精度の劣化を防止することができる。
【０１６４】
次に、図１４を参照して、図１０の受信装置において、FFT部１０８のFFT演算の後に行われる処理について説明する。
【０１６５】
FFT部１０８でのFFT演算によって得られるOFDM周波数領域信号は、伝送路歪み補正部１１０及び３３３、並びにパイロット抽出部２０１に供給される。
【０１６６】
パイロット抽出部２０１は、ステップＳ１１において、FFT部１０８からのOFDM周波数領域信号からパイロット信号を抽出し、演算部２０３に供給して、処理は、ステップＳ１２に進む。
【０１６７】
ステップＳ１２では、演算部２０３が、パイロット抽出部２０１からのパイロット信号を用いて、パイロット信号に対する伝送路特性を推定し、その伝送路特性を表す伝送路特性データを、時間方向特性推定部２０４に出力して、処理は、ステップＳ１３に進む。
【０１６８】
すなわち、演算部２０３には、パイロット抽出部２０１からパイロット信号が供給される他、基準信号生成部２０２から基準信号が供給される。
【０１６９】
演算部２０３は、パイロット抽出部２０１からのパイロット信号を、基準信号生成部２０２からの基準信号で除算することにより、パイロット信号に対する伝送路特性を表す伝送路特性データを求め、時間方向特性推定部２０４に供給する。
【０１７０】
時間方向特性推定部２０４は、ステップＳ１３において、演算部２０３からの、パイロット信号に対する伝送路特性を表す伝送路特性データを用いて、時間方向の補間がされた伝送路特性を推定し、その伝送路特性を表す伝送路特性データ（時間方向補間特性データ）を、周波数方向特性推定部３１１のアップサンプル部２０８と、フィルタ制御部３１２（のアップサンプル部３３１）に出力して、処理は、ステップＳ１４に進む。
【０１７１】
ステップＳ１４では、周波数方向特性推定部３１１において、アップサンプル部２０８が、時間方向特性推定部２０４からの時間方向補間特性データに、ゼロを補間するアップサンプリングを行い、０値補間特性データを求め、補間用フィルタ３２１に供給して、処理は、ステップＳ１５に進む。
【０１７２】
ステップＳ１５では、フィルタ制御部３１２が、時間方向特性推定部２０４からの時間方向補間特性データを用いて、補間用フィルタ３２１の通過帯域を制御する、通過帯域の制御処理を行い、処理は、ステップＳ１６に進む。
【０１７３】
ステップＳ１６では、補間用フィルタ３２１が、フィルタ制御部３１２からの制御に従った通過帯域の信号を抽出するフィルタリングを、アップサンプル部２０８からの０値補間特性データを対象として行うことで、周波数方向の補間がされた伝送路特性を推定する。
【０１７４】
すなわち、補間用フィルタ３２１は、アップサンプル部２０８からの０値補間特性データをフィルタリングすることで、周波数方向の補間がされた伝送路特性を表す伝送路特性データ（周波数方向補間特性データ）を求める。
【０１７５】
そして、補間用フィルタ３２１は、周波数方向補間特性データを、伝送路歪み補正部１１０に供給して、処理は、ステップＳ１６からステップＳ１７に進む。
【０１７６】
ステップＳ１７では、伝送路歪み補正部１１０が、FFT部１０８からのOFDM周波数領域信号の歪み補正を、補間用フィルタ３２１からの周波数方向補間特性データを用いて行う。さらに、伝送路歪み補正部１１０は、歪み補正後のOFDM周波数領域信号を、誤り訂正部１１１に供給して、処理は、ステップＳ１７からステップＳ１８に進む。
【０１７７】
ステップＳ１８では、誤り訂正部１１１が、伝送路歪み補正部１１０からのOFDM周波数領域信号に、必要な誤り訂正処理を施すことで、復号データを得て出力する。
【０１７８】
なお、図１４のフローチャートで説明した処理は、パイプラインで行われる。
【０１７９】
次に、図１５を参照して、図１４のステップＳ１５で、フィルタ制御部３１２（図１０）が行う、通過帯域の制御処理について説明する。
【０１８０】
通過帯域の制御処理では、ステップＳ３１において、アップサンプル部３３１が、時間方向特性推定部２０４からの時間方向補間特性データを対象として、アップサンプル部２０８と同様のアップサンプリングを行うことで、０値補間特性データを求める。さらに、アップサンプル部３３１は、０値補間特性データを、補間用フィルタ３３２に供給して、処理は、ステップＳ３１からステップＳ３２に進む。
【０１８１】
ステップＳ３２では、通過帯域設定部３３５が、補間用フィルタ３３２の通過帯域となる帯域を設定し、その設定した帯域を通過帯域とするフィルタのフィルタ係数を求めて、補間用フィルタ３３２に供給することで、補間用フィルタ３３２の通過帯域を制御する。
【０１８２】
ここで、通過帯域設定部３３５では、例えば、通過帯域の候補として、帯域幅や位置（位相）が異なる帯域の複数の候補が、内蔵するテーブル（以下、候補テーブルともいう）（図示せず）に記憶されている。
【０１８３】
また、候補テーブルに記憶された候補の中には、図１１ないし図１３で説明したように、複数の帯域が通過帯域となる候補が含まれている。
【０１８４】
後述するように、ステップＳ３２の処理は、繰り返し行われるが、通過帯域設定部３３５は、その繰り返し行われるステップＳ３２において、例えば、候補テーブルに記憶された複数の候補を、順番に、補間用フィルタ３３２の通過帯域となる帯域に設定する。
【０１８５】
ステップＳ３２の後、処理は、ステップＳ３３に進み、補間用フィルタ３３２が、通過帯域設定部３３５からの制御に従った通過帯域の信号を抽出するフィルタリングを、アップサンプル部３３１からの０値補間特性データを対象として行うことで、周波数方向の補間がされた伝送路特性を推定する。
【０１８６】
すなわち、補間用フィルタ３３２は、アップサンプル部２０８からの０値補間特性データのフィルタリングを、通過帯域設定部３３５から供給されるフィルタ係数を用いて行うことで、周波数方向の補間がされた伝送路特性を表す周波数方向補間特性データを求める。
【０１８７】
そして、補間用フィルタ３２１は、周波数方向補間特性データを、伝送路歪み補正部３３３に供給して、処理は、ステップＳ３３からステップＳ３４に進む。
【０１８８】
ステップＳ３４では、伝送路歪み補正部３３３が、伝送路歪み補正部１１０と同様に、FFT部１０８からのOFDM周波数領域信号の歪み補正を、補間用フィルタ３３２からの周波数方向補間特性データを用いて行う。さらに、伝送路歪み補正部３３３は、歪み補正後のOFDM周波数領域信号を、信号品質計算部３３４に供給して、処理は、ステップＳ３４からステップＳ３５に進む。
【０１８９】
ステップＳ３５では、信号品質計算部３３４が、伝送路歪み補正部３３３からの、歪み補正後のOFDM周波数領域信号の信号品質を求め、通過帯域設定部３３５に供給する。通過帯域設定部３３５は、信号品質計算部３３４からの信号品質を、その信号品質が得られたときの補間用フィルタ３３２の通過帯域と対応付けて、候補テーブルに一時記憶して、処理は、ステップＳ３５からステップＳ３６に進む。
【０１９０】
ステップＳ３６では、通過帯域設定部３３５が、通過帯域の制御処理を終了する制御終了条件が満たされているかどうかを判定する。
【０１９１】
ここで、制御終了条件としては、例えば、候補テーブルに記憶された通過帯域の候補のすべてを、通過帯域として設定したことや、信号品質計算部３３４で求められた信号品質が、所定の品質を超えたこと、通過帯域の設定（ステップＳ３２の処理）を所定の回数だけ行ったこと、等を採用することができる。
【０１９２】
ステップＳ３６において、制御終了条件が満たされていないと判定された場合、処理は、ステップＳ３２に戻り、以下、ステップＳ３２ないしＳ３６の処理が繰り返される。
【０１９３】
また、ステップＳ３６において、制御終了条件が満たされたと判定された場合、処理は、ステップＳ３７に進み、通過帯域設定部３３５は、補間用フィルタ３２１（図１０）の通過帯域を制御して、処理はリターンする。
【０１９４】
すなわち、通過帯域設定部３３５は、例えば、候補テーブルに記憶された通過帯域のうちの、最も良い信号品質が対応付けられている通過帯域を実現するフィルタ係数を、補間用フィルタ３２１に供給することで、補間用フィルタ３２１の通過帯域を制御する。
【０１９５】
補間用フィルタ３２１は、上述したように、図１４のステップＳ１６において、通過帯域設定部３３５からの制御に従った通過帯域の信号を抽出するフィルタリングを、アップサンプル部３３１からの０値補間特性データを対象として行うことで、周波数方向の補間がされた伝送路特性を推定する。
【０１９６】
すなわち、補間用フィルタ３３２は、アップサンプル部２０８からの０値補間特性データのフィルタリングを、通過帯域設定部３３５から供給されるフィルタ係数を用いて行うことで、周波数方向の補間がされた伝送路特性を表す周波数方向補間特性データを求める。
【０１９７】
以上のように、図１０の受信装置では、パイロット抽出部２０１において、パイロット信号が、あらかじめ定められた複数の位置に配置されたOFDM周波数領域信号からパイロット信号を抽出する。さらに、演算部２０３において、パイロット信号を用いて、パイロット信号に対する伝送路特性を推定し、その伝送路特性を表す伝送路特性データを出力する。また、時間方向特性推定部２０４において、パイロット信号に対する伝送路特性データを用いて、時間方向の補間がされた伝送路特性を推定し、その伝送路特性を表す伝送路特性データ（時間方向補間特性データ）を出力する。さらに、周波数方向特性推定部３１１において、時間方向補間特性データを、補間に用いる補間用フィルタ３２１でフィルタリングすることにより、周波数方向の補間がされた伝送路特性を推定し、その伝送路特性を表す伝送路特性データ（周波数方向補間特性データ）を出力する。そして、伝送路歪み補正部１１０において、周波数方向補間特性データを用いて、OFDM周波数領域信号の歪み補正を行う。
【０１９８】
この場合に、フィルタ制御部３１２が、補間用フィルタ３２１の通過帯域の制御を行うが、その通過帯域の制御として、補間用フィルタ３２１の通過帯域を複数の帯域とする制御が可能になっている。
【０１９９】
したがって、例えば、単一周波数ネットワーク（SFN）等のような、最大遅延時間が、時間方向補間特性データの周期Tu/N［秒］を超える長遅延のマルチパスが発生する環境であっても、補間用フィルタ３２１では、所望マルチパスのみを抽出することができる。その結果、伝送路特性の推定精度の劣化、ひいては、受信性能の劣化を防止することができる。
【０２００】
なお、フィルタ制御部３１２において、図１５で説明したように、歪み補正後のOFDM周波数領域信号の信号品質が良くなるように、補間用フィルタ３２１の通過帯域の制御を行うことにより、結果として、補間フィルタ３２１では、なるべく、所望マルチパスのみを抽出するようなフィルタリングが行われる。
【０２０１】
図１６は、本発明を適用した受信装置の第２実施の形態の構成例を示すブロック図である。
【０２０２】
なお、図中、図３及び図４の受信装置と対応する部分については、同一の符号を付してあり、以下では、その説明は、適宜省略する。
【０２０３】
また、図１６では、図３のアンテナ１０１、チューナ１０２、BPF１０３、A／D変換部１０４、直交復調部１０５、オフセット補正部１０６、シンボルタイミング再生部１０７、及び、誤り訂正部１１１の図示は、省略してある。
【０２０４】
図１６において、受信装置は、伝送路特性推定部１０９に代えて、伝送路特性推定部４０１が設けられている他は、図３の場合と同様に構成されている。
【０２０５】
伝送路特性推定部４０１は、パイロット抽出部２０１、基準信号生成部２０２、演算部２０３、及び、時間方向特性推定部２０４が設けられている点で、図４の伝送路特性推定部１０９と共通する。
【０２０６】
但し、伝送路特性推定部４０１は、周波数方向特性推定部２０５（図４）に代えて、周波数方向特性推定部４１１が設けられ、かつ、フィルタ制御部４１２が新たに設けられている点で、図４の伝送路特性推定部１０９と相違している。
【０２０７】
周波数方向特性推定部４１１には、時間方向特性推定部２０４から、時間方向補間特性データが供給される。
【０２０８】
周波数方向特性推定部４１１は、時間方向特性推定部２０４からの時間方向補間特性データを、補間に用いる補間用フィルタ４２１及び４２２のそれぞれでフィルタリングすることにより、周波数方向の補間がされた伝送路特性を推定し、その伝送路特性を表す伝送路特性データ（周波数方向補間特性データ）を出力する。
【０２０９】
すなわち、周波数方向特性推定部４１１は、位相調整部２０６、アップサンプル部２０８、補間用フィルタ４２１及び４２２、並びに選択部４２３から構成される。
【０２１０】
図１６において、位相調整部２０６には、時間方向特性推定部２０４から時間方向補間特性データが供給されるとともに、フィルタ制御部４１２から位相オフセットが供給される。
【０２１１】
位相調整部２０６は、図４の場合と同様に、時間方向特性推定部２０４からの時間方向補間特性データの位相を、フィルタ制御部４１２からの位相オフセットに応じて調整し、位相の調整後の時間方向補間特性データを、アップサンプル部２０８に供給する。
【０２１２】
アップサンプル部２０８は、図４の場合と同様に、位相調整部２０６から供給される時間方向補間特性データのサンプル値どうしの間に、２個のゼロを補間し、その結果得られる０値補間特性データを、複数の補間用フィルタである２つの補間用フィルタ４２１及び４２２に供給する。
【０２１３】
補間用フィルタ４２１は、例えば、図４の補間用フィルタ２０９と同様に、帯域幅Tu/3の、-Tu/6ないし+Tu/6の１つの帯域を通過帯域とするLPFであり、アップサンプル部２０８からの０値補間特性データをフィルタリングすることにより、周波数方向の補間がされた伝送路特性を表す伝送路特性データ（周波数方向補間特性データ）を得て、選択部４２３に出力する。
【０２１４】
補間用フィルタ４２２は、例えば、図１３に示した、低域の帯域の帯域幅BW1と、高域の帯域の帯域幅BW2が、いずれもTu/6となっている２つの帯域（低域の帯域と高域の帯域）を通過帯域とするフィルタであり、アップサンプル部２０８からの０値補間特性データをフィルタリングすることにより、周波数方向補間特性データを得て、選択部４２３に出力する。
【０２１５】
したがって、図１６では、周波数方向特性推定部４１１は、通過帯域が異なる複数の補間用フィルタとして、２つの補間用フィルタ４２１及び４２２を有し、そのうちの少なくとも１つである補間用フィルタ４２２の通過帯域は、複数の帯域、すなわち、帯域幅BW1及びBW2がいずれもTu/6の低域の帯域及び高域の帯域になっている。
【０２１６】
選択部４２３には、補間用フィルタ４２１及び４２２のそれぞれから、周波数方向補間特性データが供給される他、フィルタ制御部４１２から、フィルタ制御信号が供給される。
【０２１７】
選択部４２３は、フィルタ制御部４１２からのフィルタ制御信号に従い、補間用フィルタ４２１及び４２２のうちのいずれか一方を選択し、その選択した方の出力である周波数方向補間特性データを、伝送路歪み補正部１１０に供給する。
【０２１８】
フィルタ制御部４１２は、例えば、歪み補正後のOFDM周波数領域信号の信号品質等に基づいて、通過帯域が異なる２つの補間用フィルタ４２１及び４２２から、１つの補間用フィルタを選択することにより、伝送路歪み補正部１１０での歪み補正に用いる伝送路特性データ（周波数方向補間特性データ）を得る補間用フィルタの通過帯域を制御する。
【０２１９】
すなわち、フィルタ制御部４１２は、１つの帯域を通過帯域とする補間用フィルタ４２１で０値補間特性データをフィルタリングするときに、その０値補間特性データとなる時間方向補間特性データの位相を、最適位相に調整するためのブロックとして、位相調整部４３１、コントローラ４３２、アップサンプル部４３３、補間用フィルタ４３４、伝送路歪み補正部４３５、及び、信号品質計算部４３６を有する。
【０２２０】
また、フィルタ制御部４１２は、２つの帯域を通過帯域とする補間用フィルタ４２２で０値補間特性データをフィルタリングするときに、その０値補間特性データとなる時間方向補間特性データの位相を、最適位相に調整するためのブロックとして、位相調整部４４１、コントローラ４４２、アップサンプル部４４３、補間用フィルタ４４４、伝送路歪み補正部４４５、及び、信号品質計算部４４６を有する。
【０２２１】
さらに、フィルタ制御部４１２は、比較部４５１、及び、選択部４５２を有する。
【０２２２】
ここで、時間方向補間特性データの位相を、最適位相に調整する、とは、例えば、図７や図１３に示したように、０値補間特性データをフィルタリングするときの通過帯域に、所望パスのみが含まれるように、時間方向補間特性データの位相を調整することをいう。ここでは、例えば、最適位相の候補として、複数の位相の候補を用意しておき、その複数の位相の候補のうちの、歪み補正後のOFDM周波数領域信号の信号品質を最も良くする候補が、最適位相として採用される。
【０２２３】
フィルタ制御部４１２において、位相調整部４３１には、時間方向特性推定部２０４が出力する時間方向補間特性データが供給される。さらに、位相調整部４３１には、コントローラ４３２から、時間方向補間特性データの位相を調整するための位相オフセットが供給される。
【０２２４】
すなわち、コントローラ４３２は、内蔵するメモリ（図示せず）に、最適位相の候補である複数の位相の候補が記憶されたテーブル（以下、位相テーブルともいう）を記憶している。コントローラ４３２は、OFDMシンボルの１個、又は数個ごと等の所定の個数ごとに、候補テーブルに記憶された位相の候補を、順番に、注目位相オフセットとして選択し、位相調整部４３１に供給する。
【０２２５】
位相調整部４３１は、周波数方向特性推定部４１１の位相調整部２０６と同様に、時間方向特性推定部２０４からの時間方向補間特性データの位相を、コントローラ４３２からの注目位相オフセットに応じて調整し、位相の調整後の時間方向補間特性データを、アップサンプル部４３３に供給する。
【０２２６】
アップサンプル部４３３は、周波数方向特性推定部４１１のアップサンプル部２０８と同様に、位相調整部４３１からの時間方向補間特性データにゼロを補間することにより、０値補間特性データを生成し、補間用フィルタ４３４に供給する。
【０２２７】
補間用フィルタ４３４は、周波数方向特性推定部４１１の補間用フィルタ４２１と同一の特性（図７）のフィルタである。補間用フィルタ４３４は、アップサンプル部４３３からの時間方向補間特性データをフィルタリングすることにより、周波数方向補間特性データを求め、伝送路歪み補正部４３５に供給する。
【０２２８】
伝送路歪み補正部４３５には、補間用フィルタ４３４から、周波数方向補間特性データが供給される他、FFT部１０８が出力するOFDM周波数領域信号が供給される。
【０２２９】
伝送路歪み補正部４３５は、FFT部１０８からのOFDM周波数領域信号の歪み補正を、補間用フィルタ４３４からの周波数方向補間特性データを用いて行い、歪み補正後のOFDM周波数領域信号を、信号品質計算部４３６に供給する。
【０２３０】
信号品質計算部４３６は、伝送路歪み補正部４３５からの、歪み補正後のOFDM周波数領域信号のMER等を、注目位相オフセットに対する信号品質として求め、コントローラ４３２に供給する。
【０２３１】
ここで、信号品質計算部４３６では、コントローラ４３２において注目位相オフセットが選択されるごとに、その注目位相オフセットに対する信号品質が求められる。
【０２３２】
コントローラ４３２は、信号品質計算部４３６からの信号品質を、注目位相オフセットとなっている位相の候補に対応付けて、位相テーブルに一時記憶する。
【０２３３】
コントローラ４３２は、位相テーブルに記憶された位相の候補のすべてを、注目位相オフセットとして選択し、これにより、位相テーブルの複数の位相の候補のすべてに対応付けて、信号品質が記憶されると、その信号品質の中から、最も良い信号品質（以下、最適信号品質値ともいう）を選択する。
【０２３４】
さらに、コントローラ４３２は、位相テーブルにおいて、最適信号品質値と対応付けられている位相の候補を、最適位相として選択する。
【０２３５】
そして、コントローラ４３２は、最適信号品質値を、比較部４５１に出力するとともに、最適位相を、選択部４５２に出力する。
【０２３６】
なお、コントローラ４３２は、次に、最適信号品質値及び最適位相が得られるまで、最適信号品質値及び最適位相の出力をし続ける。
【０２３７】
また、コントローラ４３２は、最適信号品質値及び最適位相が得られると、位相テーブルに記憶された信号品質をクリアする。そして、位相調整部４３１ないし信号品質計算部４３６では、同様の処理が繰り返される。
【０２３８】
位相調整部４４１、コントローラ４４２、アップサンプル部４４３、補間用フィルタ４４４、伝送路歪み補正部４４５、及び、信号品質計算部４４６でも、位相調整部４３１、コントローラ４３２、アップサンプル部４３３、補間用フィルタ４３４、伝送路歪み補正部４３５、及び、信号品質計算部４３６とそれぞれ同様の処理が行われる。
【０２３９】
すなわち、コントローラ４４２は、内蔵するメモリ（図示せず）に、コントローラ４３２が記憶しているのと同一の位相テーブルを記憶している。コントローラ４４２は、コントローラ４３２と同一のタイミングで、候補テーブルに記憶された位相の候補を、順番に、注目位相オフセットとして選択し、位相調整部４４１に供給する。
【０２４０】
位相調整部４４１には、コントローラ４４２から、注目位相オフセットが供給される他、時間方向特性推定部２０４が出力する時間方向補間特性データが供給される。
【０２４１】
位相調整部４４１は、周波数方向特性推定部４１１の位相調整部２０６と同様に、時間方向特性推定部２０４からの時間方向補間特性データの位相を、コントローラ４４２からの注目位相オフセットに応じて調整し、位相の調整後の時間方向補間特性データを、アップサンプル部４４３に供給する。
【０２４２】
アップサンプル部４４３は、周波数方向特性推定部４１１のアップサンプル部２０８と同様に、位相調整部４４１からの時間方向補間特性データにゼロを補間することにより、０値補間特性データを生成し、補間用フィルタ４４４に供給する。
【０２４３】
補間用フィルタ４４４は、周波数方向特性推定部４１１の補間用フィルタ４２２と同一の特性（図１３）のフィルタである。補間用フィルタ４４４は、アップサンプル部４４３からの時間方向補間特性データをフィルタリングすることにより、周波数方向補間特性データを求め、伝送路歪み補正部４４５に供給する。
【０２４４】
伝送路歪み補正部４４５には、補間用フィルタ４４４から、周波数方向補間特性データが供給される他、FFT部１０８が出力するOFDM周波数領域信号が供給される。
【０２４５】
伝送路歪み補正部４４５は、FFT部１０８からのOFDM周波数領域信号の歪み補正を、補間用フィルタ４４４からの周波数方向補間特性データを用いて行い、歪み補正後のOFDM周波数領域信号を、信号品質計算部４４６に供給する。
【０２４６】
信号品質計算部４４６は、信号品質計算部４３６と同一のタイミングで、伝送路歪み補正部４４５からの、歪み補正後のOFDM周波数領域信号のMER等を、注目位相オフセットに対する信号品質として求め、コントローラ４４２に供給する。
【０２４７】
コントローラ４４２は、信号品質計算部４４６からの信号品質を、注目位相オフセットとなっている位相の候補に対応付けて、位相テーブルに一時記憶する。
【０２４８】
コントローラ４４２は、位相テーブルに記憶された位相の候補のすべてを、注目位相オフセットとして選択し、これにより、位相テーブルの複数の位相の候補のすべてに対応付けて、信号品質が記憶されると、その信号品質の中から、最適信号品質値を選択する。
【０２４９】
さらに、コントローラ４４２は、位相テーブルにおいて、最適信号品質値と対応付けられている位相の候補を、最適位相として選択する。
【０２５０】
そして、コントローラ４４２は、最適信号品質値を、比較部４５１に出力するとともに、最適位相を、選択部４５２に出力する。
【０２５１】
なお、コントローラ４４２は、コントローラ４３２と同様に、次に、最適信号品質値及び最適位相が得られるまで、最適信号品質値及び最適位相の出力をし続け、また、最適信号品質値及び最適位相が得られると、位相テーブルに記憶された信号品質をクリアする。さらに、位相調整部４４１ないし信号品質計算部４４６では、同様の処理が繰り返される。
【０２５２】
比較部４５１は、コントローラ４３２及び４４２それぞれから供給される最適信号品質値を比較し、その比較結果に基づいて、周波数方向特性推定部４１１の補間用フィルタ４２１及び４２２のうちのいずれか一方を選択することを表すフィルタ制御信号を出力する。
【０２５３】
すなわち、比較部４５１は、コントローラ４３２からの最適信号品質値としてのMERが、コントローラ４４２からの最適信号品質値のMERより大になっている場合、つまり、補間用フィルタ４３４と同一の特性の補間用フィルタ４２１を用いた方が、補間用フィルタ４４４と同一の特性の補間用フィルタ４２２を用いるよりも、歪み補正後のOFDM周波数領域信号の信号品質が良くなる場合、補間用フィルタ４２１の選択を表すフィルタ制御信号を出力する。
【０２５４】
また、比較部４５１は、コントローラ４３２からの最適信号品質値としてのMERが、コントローラ４４２からの最適信号品質値のMERより大になっていない場合、つまり、補間用フィルタ４４４と同一の特性の補間用フィルタ４２２を用いた方が、補間用フィルタ４３４と同一の特性の補間用フィルタ４２１を用いるよりも、歪み補正後のOFDM周波数領域信号の信号品質が良くなる場合、補間用フィルタ４２２の選択を表すフィルタ制御信号を出力する。
【０２５５】
比較部４５１が出力するフィルタ制御信号は、選択部４５２と、周波数方向特性推定部４１１（の選択部４２３）に供給される。
【０２５６】
選択部４５２は、比較部４５１からのフィルタ制御信号に基づき、コントローラ４３２及び４４２からそれぞれ供給される最適位相のうちの一方を選択して出力する。
【０２５７】
すなわち、選択部４５２は、比較部４５１からのフィルタ制御信号が、補間用フィルタ４２１の選択を表している場合、コントローラ４３２からの最適位相、つまり、補間用フィルタ４２１と同一の特性の補間用フィルタ４３４でフィルタリングされる０値補間特性データとなる時間方向補間特性データの位相調整に用いられた最適位相を選択して出力する。
【０２５８】
また、選択部４５２は、比較部４５１からのフィルタ制御信号が、補間用フィルタ４２２の選択を表している場合、コントローラ４４２からの最適位相、つまり、補間用フィルタ４２２と同一の特性の補間用フィルタ４４４でフィルタリングされる０値補間特性データとなる時間方向補間特性データの位相調整に用いられた最適位相を選択して出力する。
【０２５９】
選択部４５２が出力する最適位相は、位相オフセットとして、周波数方向特性推定部４１１（の位相調整部２０６）に供給される。
【０２６０】
周波数方向特性推定部４１１では、位相調整部２０６が、以上のようにして、フィルタ制御部４１２の選択部４５２から供給される位相オフセットに応じて、時間方向特性推定部２０４からの時間方向補間特性データの位相を調整する。
【０２６１】
さらに、周波数方向特性推定部４１１では、選択部４２３が、補間用フィルタ４２１及び４２２のうちの、フィルタ制御部４１２からのフィルタ制御信号が表す方を選択し、その選択した方の出力である周波数方向補間特性データを、伝送路歪み補正部１１０に供給する。
【０２６２】
したがって、周波数方向特性推定部４１１では、時間方向補間特性データの位相が、（位相テーブルに記憶された複数の位相の候補の中で）歪み補正後のOFDM周波数領域信号の信号品質が最も良くなるように調整される。
【０２６３】
さらに、周波数方向特性推定部４１１では、補間用フィルタ４２１及び４２２から、歪み補正後のOFDM周波数領域信号の信号品質を良くする方を選択することにより、０値補間特性データ（時間方向補間特性データ）をフィルタリングするときの通過帯域が、歪み補正後のOFDM周波数領域信号の信号品質が良くなるように制御される。
【０２６４】
伝送路歪み補正部１１０では、以上のようにして周波数方向特性推定部４１１（の選択部４２３）から供給される周波数方向補間特性データを用いて、FFT部１０８から供給されるOFDM周波数領域信号の歪み補正が行われる。
【０２６５】
図１７は、本発明を適用した受信装置の第３実施の形態の構成例を示すブロック図である。
【０２６６】
なお、図中、図３、図４、及び図１６の受信装置と対応する部分については、同一の符号を付してあり、以下では、その説明は、適宜省略する。
【０２６７】
また、図１７では、図３のアンテナ１０１、チューナ１０２、BPF１０３、A／D変換部１０４、直交復調部１０５、オフセット補正部１０６、シンボルタイミング再生部１０７、及び、誤り訂正部１１１の図示は、省略してある。
【０２６８】
図１７において、受信装置は、伝送路特性推定部４０１（図１６）に代えて、伝送路特性推定部５０１が設けられている他は、図１６の場合と同様に構成されている。
【０２６９】
伝送路特性推定部５０１は、パイロット抽出部２０１、基準信号生成部２０２、演算部２０３、時間方向特性推定部２０４、及び、周波数方向特性推定部４１１が設けられている点で、図１６の伝送路特性推定部４０１と共通する。
【０２７０】
但し、伝送路特性推定部５０１は、フィルタ制御部４１２に代えて、フィルタ制御部５１２が設けられている点で、図１６の伝送路特性推定部４０１と相違している。
【０２７１】
フィルタ制御部５１２は、位相調整部４３１ないし信号品質計算部４３６、及び、補間用フィルタ４４４ないし信号品質計算部４４６が設けられている点で、図１６のフィルタ制御部４１２と共通する。
【０２７２】
但し、フィルタ制御部５１２は、位相調整部４４１及びアップサンプル部４４３が設けられていない点で、図１６のフィルタ制御部４１２と相違する。
【０２７３】
さらに、フィルタ制御部５１２は、２つのコントローラ４３２及び４４２に代えて、１つのコントローラ５２１が設けられている点、比較部４５１に代えて、比較部５２２が設けられている点、及び、選択部４５２に代えて、選択部５２３が設けられている点で、図１６のフィルタ制御部４１２と相違する。
【０２７４】
コントローラ５２１は、例えば、図１６のコントローラ４３２及び４４２と同様に、内蔵するメモリ（図示せず）に、位相テーブルを記憶している。コントローラ５２１は、図１６のコントローラ４３２と同一のタイミングで、候補テーブルに記憶された位相の候補を、順番に、注目位相オフセットとして選択し、位相調整部４３１に供給する。
【０２７５】
位相調整部４３１は、図１６で説明したように、時間方向特性推定部２０４からの時間方向補間特性データの位相を、コントローラ５２１からの位相オフセットに応じて調整し、位相の調整後の時間方向補間特性データを、アップサンプル部４３３に供給する。
【０２７６】
アップサンプル部４３３は、位相調整部４３１からの時間方向補間特性データにゼロを補間することにより、０値補間特性データを生成し、補間用フィルタ４３４及び４４４に供給する。
【０２７７】
補間用フィルタ４３４では、アップサンプル部４３３からの時間方向補間特性データをフィルタリングすることにより、周波数方向補間特性データが求められ、伝送路歪み補正部４３５に供給される。
【０２７８】
伝送路歪み補正部４３５では、FFT部１０８からのOFDM周波数領域信号の歪み補正が、補間用フィルタ４３４からの周波数方向補間特性データを用いて行われ、歪み補正後のOFDM周波数領域信号が、信号品質計算部４３６に供給される。
【０２７９】
信号品質計算部４３６では、伝送路歪み補正部４３５からの、歪み補正後のOFDM周波数領域信号のMER等が、注目位相オフセットに対する信号品質として求められ、比較部５２２、及び、選択部５２３に供給される。
【０２８０】
補間用フィルタ４４４ないし信号品質計算部４４６でも、補間用フィルタ４３４ないし信号品質計算部４３６とそれぞれ同様の処理が行われる。
【０２８１】
すなわち、補間用フィルタ４４４では、アップサンプル部４３３からの時間方向補間特性データをフィルタリングすることにより、周波数方向補間特性データが求められ、伝送路歪み補正部４４５に供給される。
【０２８２】
伝送路歪み補正部４４５では、FFT部１０８からのOFDM周波数領域信号の歪み補正が、補間用フィルタ４４４からの周波数方向補間特性データを用いて行われ、歪み補正後のOFDM周波数領域信号が、信号品質計算部４４６に供給される。
【０２８３】
信号品質計算部４４６では、伝送路歪み補正部４４５からの、歪み補正後のOFDM周波数領域信号のMER等が、注目位相オフセットに対する信号品質として求められ、比較部５２２、及び、選択部５２３に供給される。
【０２８４】
比較部５２２は、信号品質計算部４３６及び４４６それぞれから供給される信号品質を比較し、その比較結果に基づいて、周波数方向特性推定部４１１の補間用フィルタ４２１及び４２２のうちのいずれか一方を選択することを表すフィルタ制御信号を出力する。
【０２８５】
すなわち、比較部５２２は、信号品質計算部４３６からの信号品質としてのMERが、信号品質計算部４４６からの最適信号品質値のMERより大になっている場合、つまり、補間用フィルタ４３４と同一の特性の補間用フィルタ４２１を用いた方が、補間用フィルタ４４４と同一の特性の補間用フィルタ４２２を用いるよりも、歪み補正後のOFDM周波数領域信号の信号品質が良くなる場合、補間用フィルタ４２１の選択を表すフィルタ制御信号を出力する。
【０２８６】
また、比較部５２２は、信号品質計算部４３６からの信号品質としてのMERが、信号品質計算部４４６からの信号品質のMERより大になっていない場合、つまり、補間用フィルタ４４４と同一の特性の補間用フィルタ４２２を用いた方が、補間用フィルタ４３４と同一の特性の補間用フィルタ４２１を用いるよりも、歪み補正後のOFDM周波数領域信号の信号品質が良くなる場合、補間用フィルタ４２２の選択を表すフィルタ制御信号を出力する。
【０２８７】
比較部５２２が出力するフィルタ制御信号は、選択部５２３と、コントローラ５２１に供給される。
【０２８８】
選択部５２３は、比較部５２２からのフィルタ制御信号に基づき、信号品質計算部４３６及び４４６からそれぞれ供給される信号品質のうちの一方を選択して出力する。
【０２８９】
すなわち、選択部５２３は、比較部５２２からのフィルタ制御信号が、補間用フィルタ４２１の選択を表している場合、信号品質計算部４３６からの信号品質、つまり、補間用フィルタ４２１と同一の特性の補間用フィルタ４３４で０値補間特性データをフィルタリングすることで得られる周波数方向補間特性データを用いた歪み補正によって得られる、歪み補正後のOFDM周波数領域信号の信号品質を選択して出力する。
【０２９０】
また、選択部５２３は、比較部５２２からのフィルタ制御信号が、補間用フィルタ４２２の選択を表している場合、信号品質計算部４４６からの信号品質、つまり、補間用フィルタ４２２と同一の特性の補間用フィルタ４４４で０値補間特性データをフィルタリングすることで得られる周波数方向補間特性データを用いた歪み補正によって得られる、歪み補正後のOFDM周波数領域信号の信号品質を選択して出力する。
【０２９１】
選択部５２３が出力する信号品質は、コントローラ５２１に供給される。
【０２９２】
コントローラ５２１は、比較部５２２からのフィルタ制御信号と、選択部５２３からの信号品質を、注目位相オフセットとなっている位相の候補に対応付けて、位相テーブルに一時記憶する。
【０２９３】
コントローラ５２１は、位相テーブルに記憶された位相の候補のすべてを、注目位相オフセットとして選択し、これにより、位相テーブルの複数の位相の候補のすべてに対応付けて、フィルタ制御信号と信号品質が記憶されると、その信号品質の中から、最適信号品質値を選択する。
【０２９４】
さらに、コントローラ５２１は、位相テーブルにおいて、最適信号品質値と対応付けられている位相の候補を、最適位相として選択し、周波数方向特性推定部４１１の位相調整部２０６に出力する。
【０２９５】
また、コントローラ５２１は、位相テーブルにおいて、最適位相と対応付けられているフィルタ制御信号を選択し、周波数方向特性推定部４１１の選択部４２３に出力する。
【０２９６】
なお、コントローラ５２１は、最適信号品質値が得られると、位相テーブルに記憶された信号品質、及び、フィルタ制御信号をクリアする。
【０２９７】
また、コントローラ５２１は、次に、最適信号品質値が得られるまで、最適位相、及び、フィルタ制御信号の出力をし続ける。
【０２９８】
さらに、フィルタ制御部５１２では、同様の処理が繰り返される。
【０２９９】
周波数方向特性推定部４１１では、位相調整部２０６が、以上のようにして、フィルタ制御部５１２のコントローラ５２１から供給される最適位相を位相オフセットとして、時間方向特性推定部２０４からの時間方向補間特性データの位相を調整する。
【０３００】
さらに、周波数方向特性推定部４１１では、選択部４２３が、補間用フィルタ４２１及び４２２のうちの、フィルタ制御部５１２のコントローラ５２１からのフィルタ制御信号が表す方を選択し、その選択した方の出力である周波数方向補間特性データを、伝送路歪み補正部１１０に供給する。
【０３０１】
したがって、周波数方向特性推定部４１１では、時間方向補間特性データの位相が、（位相テーブルに記憶された複数の位相の候補の中で）歪み補正後のOFDM周波数領域信号の信号品質が最も良くなるように調整される。
【０３０２】
さらに、周波数方向特性推定部４１１では、補間用フィルタ４２１及び４２２から、歪み補正後のOFDM周波数領域信号の信号品質を良くする方を選択することにより、０値補間特性データ（時間方向補間特性データ）をフィルタリングするときの通過帯域が、歪み補正後のOFDM周波数領域信号の信号品質が良くなるように制御される。
【０３０３】
伝送路歪み補正部１１０では、以上のようにして周波数方向特性推定部４１１（の選択部４２３）から供給される周波数方向補間特性データを用いて、FFT部１０８から供給されるOFDM周波数領域信号の歪み補正が行われる。
【０３０４】
図１８は、本発明を適用した受信装置の第４実施の形態の構成例を示すブロック図である。
【０３０５】
なお、図中、図３、図４、図１６、及び図１７の受信装置と対応する部分については、同一の符号を付してあり、以下では、その説明は、適宜省略する。
【０３０６】
また、図１８では、図３のアンテナ１０１、チューナ１０２、BPF１０３、A／D変換部１０４、直交復調部１０５、オフセット補正部１０６、シンボルタイミング再生部１０７、及び、誤り訂正部１１１の図示は、省略してある。
【０３０７】
図１８において、受信装置は、伝送路特性推定部５０１に代えて、伝送路特性推定部６０１が設けられている他は、図１７の場合と同様に構成されている。
【０３０８】
伝送路特性推定部６０１は、パイロット抽出部２０１、基準信号生成部２０２、演算部２０３、時間方向特性推定部２０４、及び、周波数方向特性推定部４１１が設けられている点で、図１７の伝送路特性推定部５０１と共通する。
【０３０９】
但し、伝送路特性推定部６０１は、フィルタ制御部５１２に代えて、フィルタ制御部６１２が設けられている点で、図１７の伝送路特性推定部５０１と相違している。
【０３１０】
フィルタ制御部６１２は、位相調整部４３１ないし信号品質計算部４３６、及び、補間用フィルタ４４４ないし信号品質計算部４４６が設けられている点で、図１７のフィルタ制御部５１２と共通する。
【０３１１】
但し、フィルタ制御部６１２は、比較部５２２及び選択部５２３が設けられていない点で、図１７のフィルタ制御部５１２と相違する。
【０３１２】
さらに、フィルタ制御部６１２は、コントローラ５２１に代えて、コントローラ６２１が設けられている点で、図１７のフィルタ制御部５１２と相違する。
【０３１３】
また、フィルタ制御部６１２は、メモリ６２２及び６２３、並びに、最適値選択部６２４が新たに設けられている点で、図１７のフィルタ制御部５１２と相違する。
【０３１４】
ここで、図１７の受信装置（図１６の受信装置でも同様）では、位相テーブルに記憶された複数の位相の候補から選択された注目位相オフセットだけ位相調整を行う対象の時間方向補間特性データに対応するOFDMシンボルが、位相の候補ごとに異なる。これに対して、図１８の受信装置では、注目位相オフセットだけ位相調整を行う対象の時間方向補間特性データに対応するOFDMシンボルが、位相テーブルに記憶された複数の位相の候補すべてについて同一になっている。
【０３１５】
すなわち、図１８の受信装置では、同一のOFDMシンボルに対応する時間方向補間特性データが、位相テーブルに記憶された複数の位相の候補それぞれだけ位相調整される。そして、その位相調整後の複数の時間方向補間特性データから得られる周波数方向補間特性データを用いて、同一のOFDMシンボルに対応するOFDM周波数領域信号の歪み補正が行われ、その歪み補正後のOFDM周波数信号の信号品質から、最適信号品質値が求められる。
【０３１６】
具体的には、図１８のフィルタ制御部６１２では、メモリ６２２には、FFT部１０８から、OFDM周波数領域信号が供給される。さらに、メモリ６２２には、コントローラ６２１から、データの読み出し、又は書き込みを指令するコマンドと、データの読み出し、又は書き込みの対象のアドレスとが供給される。
【０３１７】
メモリ６２２は、コントローラ６２１からのコマンドに従い、同じくコントローラ６２１からのアドレスに対するデータの読み出し、又は書き込みを行う。
【０３１８】
すなわち、メモリ６２２は、コントローラ６２１の制御に従い、FFT部１０８から供給される、あるOFDMシンボルに対応するOFDM周波数領域信号を記憶する。さらに、メモリ６２２には、コントローラ６２１の制御に従い、記憶しているOFDM周波数領域信号を読み出し、伝送路歪み補正部４３５及び４４５に供給する。
【０３１９】
メモリ６２３には、時間方向特性推定部２０４から、時間方向補間特性データが供給される。さらに、メモリ６２３には、コントローラ６２１から、データの読み出し、又は書き込みを指令するコマンドと、データの読み出し、又は書き込みの対象のアドレスとが供給される。
【０３２０】
メモリ６２３は、コントローラ６２１からのコマンドに従い、同じくコントローラ６２１からのアドレスに対するデータの読み出し、又は書き込みを行う。
【０３２１】
すなわち、メモリ６２３は、コントローラ６２１の制御に従い、時間方向特性推定部２０４から供給される、メモリ６２２に記憶されるOFDM周波数領域信号に対応するOFDMシンボルに対応する時間方向補間特性データを記憶する。さらに、メモリ６２３には、コントローラ６２１の制御に従い、記憶している時間方向補間特性データを読み出し、位相調整部４３１に供給する。
【０３２２】
コントローラ６２１は、図１７のコントローラ５２１と同様に、内蔵するメモリ（図示せず）に、位相テーブルを記憶している。コントローラ６２１は、候補テーブルに記憶された位相の候補を、順番に、注目位相オフセットとして選択し、位相調整部４３１と最適値選択部６２４に供給する。
【０３２３】
さらに、コントローラ６２１は、注目位相オフセットを、位相調整部４３１と最適値選択部６２４に供給するとき、メモリ６２２を制御することにより、メモリ６２２からOFDM周波数領域信号を読み出させて、伝送路歪み補正部４３５及び４４５に供給させるとともに、メモリ６２３を制御することにより、メモリ６２３から時間方向補間特性データを読み出させて、位相調整部４３１に供給させる。
【０３２４】
したがって、コントローラ６２１において、候補テーブルに記憶された位相の候補の中から、注目位相オフセットが新たに選択されるたびに、メモリ６２２に記憶された、同一のOFDMシンボルに対応するOFDM周波数領域信号が読み出されるとともに、メモリ６２３に記憶された、同一のOFDMシンボルに対応する時間方向補間特性データが読み出される。
【０３２５】
位相調整部４３１は、図１６で説明したように、時間方向特性推定部２０４からの時間方向補間特性データの位相を、コントローラ６２１からの注目位相オフセットに応じて調整し、位相の調整後の時間方向補間特性データを、アップサンプル部４３３に供給する。
【０３２６】
アップサンプル部４３３は、位相調整部４３１からの時間方向補間特性データにゼロを補間することにより、０値補間特性データを生成し、補間用フィルタ４３４及び４４４に供給する。
【０３２７】
補間用フィルタ４３４では、アップサンプル部４３３からの時間方向補間特性データをフィルタリングすることにより、周波数方向補間特性データが求められ、伝送路歪み補正部４３５に供給される。
【０３２８】
伝送路歪み補正部４３５では、メモリ６２２からのOFDM周波数領域信号の歪み補正が、補間用フィルタ４３４からの周波数方向補間特性データを用いて行われ、歪み補正後のOFDM周波数領域信号が、信号品質計算部４３６に供給される。
【０３２９】
信号品質計算部４３６では、伝送路歪み補正部４３５からの、歪み補正後のOFDM周波数領域信号のMER等が、注目位相オフセットに対する信号品質として求められ、最適値選択部６２４に供給される。
【０３３０】
補間用フィルタ４４４ないし信号品質計算部４４６でも、補間用フィルタ４３４ないし信号品質計算部４３６とそれぞれ同様の処理が行われる。
【０３３１】
すなわち、補間用フィルタ４４４では、アップサンプル部４３３からの時間方向補間特性データをフィルタリングすることにより、周波数方向補間特性データが求められ、伝送路歪み補正部４４５に供給される。
【０３３２】
伝送路歪み補正部４４５では、メモリ６２２からのOFDM周波数領域信号の歪み補正が、補間用フィルタ４４４からの周波数方向補間特性データを用いて行われ、歪み補正後のOFDM周波数領域信号が、信号品質計算部４４６に供給される。
【０３３３】
信号品質計算部４４６では、伝送路歪み補正部４４５からの、歪み補正後のOFDM周波数領域信号のMER等が、注目位相オフセットに対する信号品質として求められ、最適値選択部６２４に供給される。
【０３３４】
最適値選択部６２４は、信号品質計算部４３６及び４４６それぞれから供給される信号品質を比較し、良い方の信号品質を、コントローラ６２１からの注目位相オフセットになっている位相の候補に対応付けて記憶する。
【０３３５】
コントローラ６２１が、位相テーブルに記憶された位相の候補のすべてを、注目位相オフセットとして選択し、これにより、最適値選択部６２４において、位相テーブルの複数の位相の候補のすべてに対応付けて、メモリ６２２に記憶されたOFDM周波数領域信号、及び、メモリ６２３に記憶された時間方向補間特性データを用いて求められた信号品質が記憶されると、最適値選択部６２４は、その信号品質の中から、最適信号品質値を選択する。
【０３３６】
さらに、最適値選択部６２４は、最適信号品質値と対応付けられている位相の候補を、最適位相として選択し、周波数方向特性推定部４１１の位相調整部２０６に出力する。
【０３３７】
また、最適値選択部６２４は、補間用フィルタ４３４及び４４４のうちの、最適信号品質値のOFDM周波数領域信号の歪み補正に用いられた周波数方向補間特性データが得られた方を、最適フィルタとして選択する。そして、最適値選択部６２４は、周波数方向特性推定部４１１の補間用フィルタ４２１及び４２２のうちの、最適フィルタと同一特性の方を選択することを表すフィルタ制御信号を生成して、周波数方向特性推定部４１１の選択部４２３に出力する。
【０３３８】
なお、最適値選択部６２４は、最適信号品質値が得られると、対応付けて記憶した位相の候補と信号品質をクリアする。
【０３３９】
また、最適値選択部６２４は、次に、最適信号品質値が得られるまで、最適位相、及び、フィルタ制御信号の出力をし続ける。
【０３４０】
コントローラ６２１において、位相テーブルに記憶された位相の候補のすべてが、注目位相オフセットとして選択され、最適値選択部６２４において、最適位相、及び、フィルタ制御信号の出力が開始されると、コントローラ６２１は、次のOFDMシンボルに対応するOFDM周波数領域信号を記憶するように、メモリ６２２を制御するとともに、次のOFDMシンボルに対応する時間方向補間特性データを記憶するように、メモリ６２３を制御する。
【０３４１】
メモリ６２２は、FFT部１０８から供給される、次のOFDMシンボルに対応するOFDM周波数領域信号を、コントローラ６２１の制御に従って記憶（上書き）する。
【０３４２】
メモリ６２３も、同様に、時間方向特性推定部２０４から供給される、次のOFDMシンボルに対応する時間方向補間特性データを、コントローラ６２１の制御に従って記憶する。
【０３４３】
そして、以下、同様の処理が繰り返される。
【０３４４】
一方、周波数方向特性推定部４１１では、位相調整部２０６が、以上のようにして、フィルタ制御部６１２の最適値選択部６２４から供給される最適位相を位相オフセットとして、時間方向特性推定部２０４から供給される、メモリ６２３に記憶されていたのと同一の時間方向補間特性データの位相を調整する。
【０３４５】
さらに、周波数方向特性推定部４１１では、選択部４２３が、補間用フィルタ４２１及び４２２のうちの、フィルタ制御部６１２の最適値選択部６２４からのフィルタ制御信号が表す方を選択し、その選択した方の出力である周波数方向補間特性データを、伝送路歪み補正部１１０に供給する。
【０３４６】
したがって、周波数方向特性推定部４１１では、時間方向補間特性データの位相が、（位相テーブルに記憶された複数の位相の候補の中で）歪み補正後のOFDM周波数領域信号の信号品質が最も良くなるように調整される。
【０３４７】
さらに、周波数方向特性推定部４１１では、補間用フィルタ４２１及び４２２から、歪み補正後のOFDM周波数領域信号の信号品質を良くする方を選択することにより、０値補間特性データ（時間方向補間特性データ）をフィルタリングするときの通過帯域が、歪み補正後のOFDM周波数領域信号の信号品質が良くなるように制御される。
【０３４８】
伝送路歪み補正部１１０では、以上のようにして周波数方向特性推定部４１１（の選択部４２３）から供給される周波数方向補間特性データを用いて、FFT部１０８から供給される、メモリ６２２に記憶されていたのと同一のOFDM周波数領域信号の歪み補正が行われる。
【０３４９】
図１９は、本発明を適用した受信装置の第５実施の形態の構成例を示すブロック図である。
【０３５０】
なお、図中、図３及び図４の受信装置と対応する部分については、同一の符号を付してあり、以下では、その説明は、適宜省略する。
【０３５１】
また、図１９では、図３のアンテナ１０１、チューナ１０２、BPF１０３、A／D変換部１０４、直交復調部１０５、オフセット補正部１０６、シンボルタイミング再生部１０７、及び、誤り訂正部１１１の図示は、省略してある。
【０３５２】
図１９において、受信装置は、伝送路歪み補正部７１２、信号品質計算部７１３及び７１４、比較部７１５、並びに、選択部７１６が新たに設けられている点で、図３及び図４の場合と相違する。
【０３５３】
さらに、図１９において、受信装置は、伝送路特性推定部１０９に代えて、伝送路特性推定部７０１が設けられている点で、図３及び図４の場合と相違する。
【０３５４】
伝送路特性推定部７０１は、パイロット抽出部２０１、基準信号生成部２０２、演算部２０３、及び、時間方向特性推定部２０４が設けられている点で、図４の伝送路特性推定部１０９と共通する。
【０３５５】
但し、伝送路特性推定部７０１は、周波数方向特性推定部２０５に代えて、周波数方向特性推定部７１１が設けられている点で、図４の伝送路特性推定部１０９と相違する。
【０３５６】
周波数方向特性推定部７１１は、位相調整部７２６、位相オフセット算出部７２７、アップサンプル部７２８、及び、補間用フィルタ７２９が新たに設けられている点で、図４の周波数方向特性推定部２０５と相違する。
【０３５７】
図１９の受信装置では、パイロット抽出部２０１が、FFT部１０８からのOFDM周波数領域信号からパイロット信号を抽出し、演算部２０３に供給する。
【０３５８】
演算部２０３は、パイロット抽出部２０１からのパイロット信号と、基準信号生成部２０２から供給される来受信信号とを用いて、パイロット信号に対する伝送路特性データを求めて、時間方向特性推定部２０４に出力する。
【０３５９】
時間方向特性推定部２０４は、演算部２０３からのパイロット信号に対する伝送路特性データを用いて、時間方向補間特性データを求め、周波数方向特性推定部７１１に供給する。
【０３６０】
周波数方向特性推定部７１１では、時間方向特性推定部２０４からの時間方向補間特性データを、通過帯域が異なる複数の補間用フィルタとしての２つの補間用フィルタ２０９及び７２９それぞれでフィルタリングすることにより、複数としての２つの周波数方向補間特性データを求めて出力する。
【０３６１】
すなわち、周波数方向特性推定部７１１は、図４の周波数方向特性推定部２０５と同様に、位相調整部２０６、位相オフセット算出部２０７、アップサンプル部２０８、及び、補間用フィルタ２０９を有する。
【０３６２】
周波数方向特性推定部７１１では、位相オフセット算出部２０７が、例えば、図４で説明したように、マルチパスの遅延拡がりを用いて、位相オフセットを算出し、位相調整部２０６に供給する。
【０３６３】
位相調整部２０６は、時間方向特性推定部２０４から周波数方向特性推定部７１１に供給される時間方向補間特性データの位相を、位相オフセット算出部２０７からの位相オフセットに応じて調整し、アップサンプル部２０８に供給する。
【０３６４】
アップサンプル部２０８は、位相調整部２０６からの時間方向補間特性データのサンプル値どうしの間にゼロを補間することにより、０値補間特性データを生成し、補間用フィルタ２０９に供給する。
【０３６５】
補間用フィルタ２０９は、図７に示した、-Tu/6ないし+Tu/6の帯域を通過帯域とするLPFであり、アップサンプル部２０８からの０値補間特性データをフィルタリングすることにより、周波数方向補間特性データを求めて出力する。
【０３６６】
また、周波数方向特性推定部７１１は、位相調整部７２６、位相オフセット算出部７２７、アップサンプル部７２８、及び、補間用フィルタ７２９を、さらに有する。
【０３６７】
周波数方向特性推定部７１１では、位相オフセット算出部７２７が、例えば、位相オフセット算出部２０７と同様にして、位相オフセットを算出し、位相調整部７２６に供給する。
【０３６８】
位相調整部７２６は、位相調整部２０６と同様に、時間方向特性推定部７２４から周波数方向特性推定部７１１に供給される時間方向補間特性データの位相を、位相オフセット算出部７２７からの位相オフセットに応じて調整し、アップサンプル部７２８に供給する。
【０３６９】
アップサンプル部７２８は、アップサンプル部２０８と同様に、位相調整部７２６からの時間方向補間特性データのサンプル値どうしの間にゼロを補間することにより、０値補間特性データを生成し、補間用フィルタ７２９に供給する。
【０３７０】
補間用フィルタ７２９は、例えば、図１３に示した、低域の帯域の帯域幅BW1と、高域の帯域の帯域幅BW2が、いずれもTu/6となっている２つの帯域（低域の帯域と高域の帯域）を通過帯域とするフィルタであり、アップサンプル部７２８からの０値補間特性データをフィルタリングすることにより、周波数方向補間特性データを求めて出力する。
【０３７１】
したがって、図１９では、周波数方向特性推定部７１１は、通過帯域が異なる複数の補間用フィルタとして、２つの補間用フィルタ２０９及び７２９を有し、そのうちの少なくとも１つである補間用フィルタ７２９の通過帯域は、複数の帯域、すなわち、帯域幅BW1及びBW2がいずれもTu/6の低域の帯域及び高域の帯域になっている。
【０３７２】
複数としての２つ伝送路歪み補正部１１０及び７１２は、以上のようにして、周波数方向特性推定部７１１から出力される、複数としての２つの周波数方向補間特性データそれぞれを用いて、FFT部１０８から供給されるOFDM周波数領域信号の歪み補正を行う。
【０３７３】
すなわち、伝送路歪み補正部１１０には、補間用フィルタ２０９が出力する周波数方向補間特性データが供給されるとともに、FFT部１０８から、OFDM周波数領域信号が供給される。
【０３７４】
伝送路歪み補正部１１０は、補間用フィルタ２０９からの周波数方向補間特性データを用いて、FFT部１０８からのOFDM周波数領域信号の歪み補正を行い、歪み補正後のOFDM周波数領域信号を、信号品質計算部７１３、及び、選択部７１６に供給する。
【０３７５】
一方、伝送路歪み補正部７１２には、補間用フィルタ７２９が出力する周波数方向補間特性データが供給されるとともに、FFT部１０８から、OFDM周波数領域信号が供給される。
【０３７６】
伝送路歪み補正部７１２は、補間用フィルタ７２９からの周波数方向補間特性データを用いて、FFT部１０８からのOFDM周波数領域信号の歪み補正を行い、歪み補正後のOFDM周波数領域信号を、信号品質計算部７１４、及び、選択部７１６に供給する。
【０３７７】
信号品質計算部７１３は、伝送路歪み補正部１１０からの、歪み補正後のOFDM周波数領域信号のMER等の信号品質を求め、比較部７１５に供給する。
【０３７８】
信号品質計算部７１４は、伝送路歪み補正部７１２からの、歪み補正後のOFDM周波数領域信号のMER等の信号品質を求め、比較部７１５に供給する。
【０３７９】
比較部７１５は、信号品質計算部７１３及び７１４それぞれから供給される信号品質を比較し、その比較結果に基づいて、伝送路歪み補正部１１０及び７１２のうちのいずれか一方のOFDM周波数領域信号を選択することを表す選択信号を、選択部７１６に供給する。
【０３８０】
すなわち、比較部７１５は、信号品質計算部７１３からの信号品質としてのMERが、信号品質計算部７１４からの最適信号品質値のMERより大になっている場合、つまり、補間用フィルタ２０９を用いた方が、補間用フィルタ７２９を用いるよりも、歪み補正後のOFDM周波数領域信号の信号品質が良くなる場合、補間用フィルタ２０９で得られる周波数方向補間特性データを用いて歪み補正を行う伝送路歪み補正部１１０から供給されるOFDM周波数領域信号の選択を表す選択信号を、選択部７１６に供給する。
【０３８１】
また、比較部７１５は、信号品質計算部７１３からの信号品質としてのMERが、信号品質計算部７１４からの信号品質のMERより大になっていない場合、つまり、補間用フィルタ７２９を用いた方が、補間用フィルタ２０９を用いるよりも、歪み補正後のOFDM周波数領域信号の信号品質が良くなる場合、補間用フィルタ７２９で得られる周波数方向補間特性データを用いて歪み補正を行う伝送路歪み補正部７１２から供給されるOFDM周波数領域信号の選択を表す選択信号の選択を表す選択信号を、選択部７１６に供給する。
【０３８２】
選択部７１６は、比較部７１５からの選択信号に基づき、伝送路歪み補正部１１０及び７１２のうちのいずれか一方からの歪み補正後のOFDM周波数領域信号を選択し、誤り訂正部１１１に供給する。
【０３８３】
すなわち、選択部７１６は、比較部７１５からの選択信号が、伝送路歪み補正部１１０から供給されるOFDM周波数領域信号の選択を表している場合、つまり、伝送路歪み補正部１１０から供給されるOFDM周波数領域信号の方が、伝送路歪み補正部７１２から供給されるOFDM周波数領域信号よりも、信号品質が良い場合、その品質が良い方のOFDM周波数領域信号を選択し、誤り訂正部１１１に供給する。
【０３８４】
また、選択部７１６は、比較部７１５からの選択信号が、伝送路歪み補正部７１２から供給されるOFDM周波数領域信号の選択を表している場合、つまり、伝送路歪み補正部７１２から供給されるOFDM周波数領域信号の方が、伝送路歪み補正部１１０から供給されるOFDM周波数領域信号よりも、信号品質が良い場合、その品質が良い方のOFDM周波数領域信号を選択し、誤り訂正部１１１に供給する。
【０３８５】
次に、図２０を参照して、図１０の受信装置において、FFT部１０８のFFT演算の後に行われる処理について説明する。
【０３８６】
FFT部１０８でのFFT演算によって得られるOFDM周波数領域信号は、伝送路歪み補正部１１０及び７１２、並びにパイロット抽出部２０１に供給される。
【０３８７】
パイロット抽出部２０１は、ステップＳ５１において、FFT部１０８からのOFDM周波数領域信号からパイロット信号を抽出し、演算部２０３に供給して、処理は、ステップＳ５２に進む。
【０３８８】
ステップＳ５２では、演算部２０３が、パイロット抽出部２０１からのパイロット信号を用いて、パイロット信号に対する伝送路特性を推定し、その伝送路特性を表す伝送路特性データを、時間方向特性推定部２０４に出力して、処理は、ステップＳ５３に進む。
【０３８９】
ステップＳ５３では、時間方向特性推定部２０４が、演算部２０３からの、パイロット信号に対する伝送路特性を表す伝送路特性データを用いて、時間方向の補間がされた伝送路特性を推定する。そして、時間方向特性推定部２０４は、その伝送路特性を表す伝送路特性データ（時間方向補間特性データ）を、周波数方向特性推定部７１１に出力して、処理は、ステップＳ５３からステップＳ５４に進む。
【０３９０】
ステップＳ５４では、周波数方向特性推定部７１１において、位相オフセット算出部２０７が位相オフセットを算出して、位相調整部２０６に供給するとともに、位相オフセット算出部７２７が位相オフセットを算出して、位相調整部７２６に供給する。
【０３９１】
さらに、ステップＳ５４では、位相調整部２０６が、時間方向特性推定部２０４からの時間方向補間特性データの位相調整を、位相オフセット算出部２０７からの位相オフセットに従って行い、アップサンプル部２０８に供給する。同時に、位相調整部７２６が、時間方向特性推定部２０４からの時間方向補間特性データの位相調整を、位相オフセット算出部７２７からの位相オフセットに従って行い、アップサンプル部７２８に供給する。
【０３９２】
その後、アップサンプル部２０８が、位相調整部２０６からの時間方向補間特性データのアップサンプリングを行うことで、０値補間特性データを求め、補間用フィルタ２０９に供給する。同時に、アップサンプル部７２８が、位相調整部７２６からの時間方向補間特性データのアップサンプリングを行うことで、０値補間特性データを求め、補間用フィルタ７２９に供給する。
【０３９３】
その後、処理は、ステップＳ５４からステップＳ５５に進み、周波数方向特性推定部７１１は、時間方向特性推定部２０４からの時間方向補間特性データ（から得られた０値補間特性データ）を、通過帯域が異なる２つの補間用フィルタ２０９及び７２９それぞれでフィルタリングすることにより、２つの周波数方向補間特性データを求めて出力する。
【０３９４】
すなわち、周波数方向特性推定部７１１では、補間用フィルタ２０９が、アップサンプル部２０８からの０値補間特性データをフィルタリングすることにより、周波数方向補間特性データを求め、伝送路歪み補正部１１０に出力する。
【０３９５】
同時に、補間用フィルタ７２９が、アップサンプル部７２８からの０値補間特性データをフィルタリングすることにより、周波数方向補間特性データを求め、伝送路歪み補正部７１２に出力する。
【０３９６】
そして、処理は、ステップＳ５５からステップＳ５６に進み、伝送路歪み補正部１１０は、補間用フィルタ２０９からの周波数方向補間特性データを用いて、FFT部１０８からのOFDM周波数領域信号の歪み補正を行う。そして、伝送路歪み補正部１１０は、歪み補正後のOFDM周波数領域信号を、信号品質計算部７１３、及び、選択部７１６に供給する。
【０３９７】
同時に、ステップＳ５６では、伝送路歪み補正部７１２が、補間用フィルタ７２９からの周波数方向補間特性データを用いて、FFT部１０８からのOFDM周波数領域信号の歪み補正を行う。そして、伝送路歪み補正部７１２は、歪み補正後のOFDM周波数領域信号を、信号品質計算部７１４、及び、選択部７１６に供給して、処理は、ステップＳ５６からステップＳ５７に進む。
【０３９８】
ステップＳ５７では、信号品質計算部７１３は、伝送路歪み補正部１１０からの、歪み補正後のOFDM周波数領域信号の信号品質を求め、比較部７１５に供給する。同時に、ステップＳ５７では、信号品質計算部７１４が、伝送路歪み補正部７１２からの、歪み補正後のOFDM周波数領域信号の信号品質を求め、比較部７１５に供給する。
【０３９９】
その後、処理は，ステップＳ５７からステップＳ５８に進み、伝送路歪み補正部１１０及び、伝送路歪み補正部７１２それぞれで得られた２つの歪み補正後のOFDM周波数領域信号のうちの、信号品質の良い方が選択され、誤り訂正部１１１に供給される。
【０４００】
すなわち、ステップＳ５８では、比較部７１５が、信号品質計算部７１３及び７１４それぞれから供給される信号品質を比較し、伝送路歪み補正部１１０及び７１２それぞれからのOFDM周波数領域信号のうちの、信号品質が良い方を選択することを表す選択信号を、選択部７１６に供給する。
【０４０１】
さらに、ステップＳ５８では、選択部７１６は、比較部７１５からの選択信号に基づき、伝送路歪み補正部１１０及び７１２それぞれからの歪み補正後のOFDM周波数領域信号のうちの、信号品質が良い方を選択し、誤り訂正部１１１に供給する。
【０４０２】
そして、処理は、ステップＳ５８からステップＳ５９に進み、誤り訂正部１１１が、選択部７１６からのOFDM周波数領域信号に、必要な誤り訂正処理を施すことで、復号データを得て出力する。
【０４０３】
なお、図２０のフローチャートで説明した処理は、パイプラインで行われる。
【０４０４】
以上のように、少なくとも１つの通過帯域が、複数としての２つの帯域になっているになっている、複数としての２つの補間用フィルタ４２１及び４２２（図１６ないし図１８）や、補間用フィルタ２０９及び７２９（図１９）でフィルタリングを行うことで、周波数方向の補間がされた周波数方向補間特性データを求めるので、マルチパスが、その最大遅延時間が時間方向補間特性データの周期Tu/3［秒］を超える長遅延のマルチパスであっても、所望マルチパスのみを抽出して、伝送路特性の推定精度の劣化を防止することができる。
【０４０５】
次に、上述した一連の処理は、ハードウェアにより行うこともできるし、ソフトウェアにより行うこともできる。一連の処理をソフトウェアによって行う場合には、そのソフトウェアを構成するプログラムが、プロセッサを有するコンピュータ等にインストールされる。
【０４０６】
そこで、図２１は、上述した一連の処理を実行するプログラムがインストールされるコンピュータの一実施の形態の構成例を示している。
【０４０７】
プログラムは、コンピュータに内蔵されている記録媒体としてのハードディスク８０５やROM８０３に予め記録しておくことができる。
【０４０８】
あるいはまた、プログラムは、フレキシブルディスク、CD-ROM(Compact Disc Read Only Memory)，MO(Magneto Optical)ディスク，DVD(Digital Versatile Disc)、磁気ディスク、半導体メモリなどのリムーバブル記録媒体８１１に、一時的あるいは永続的に格納（記録）しておくことができる。このようなリムーバブル記録媒体８１１は、いわゆるパッケージソフトウエアとして提供することができる。
【０４０９】
なお、プログラムは、上述したようなリムーバブル記録媒体８１１からコンピュータにインストールする他、ダウンロードサイトから、ディジタル衛星放送用の人工衛星を介して、コンピュータに無線で転送したり、LAN(Local Area Network)、インターネットといったネットワークを介して、コンピュータに有線で転送し、コンピュータでは、そのようにして転送されてくるプログラムを、通信部８０８で受信し、内蔵するハードディスク８０５にインストールすることができる。
【０４１０】
コンピュータは、CPU(Central Processing Unit)８０２を内蔵している。CPU８０２には、バス８０１を介して、入出力インタフェース８１０が接続されており、CPU８０２は、入出力インタフェース８１０を介して、ユーザによって、キーボードや、マウス、マイク等で構成される入力部８０７が操作等されることにより指令が入力されると、それに従って、ROM(Read Only Memory)８０３に格納されているプログラムを実行する。あるいは、また、CPU８０２は、ハードディスク８０５に格納されているプログラム、衛星若しくはネットワークから転送され、通信部８０８で受信されてハードディスク８０５にインストールされたプログラム、またはドライブ８０９に装着されたリムーバブル記録媒体８１１から読み出されてハードディスク８０５にインストールされたプログラムを、RAM(Random Access Memory)８０４にロードして実行する。これにより、CPU８０２は、上述したフローチャートにしたがった処理、あるいは上述したブロック図の構成により行われる処理を行う。そして、CPU８０２は、その処理結果を、必要に応じて、例えば、入出力インタフェース８１０を介して、LCD(Liquid Crystal Display)やスピーカ等で構成される出力部８０６から出力、あるいは、通信部８０８から送信、さらには、ハードディスク８０５に記録等させる。
【０４１１】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０４１２】
また、プログラムは、１のコンピュータにより処理されるものであっても良いし、複数のコンピュータによって分散処理されるものであっても良い。さらに、プログラムは、遠方のコンピュータに転送されて実行されるものであっても良い。
【０４１３】
なお、本発明の実施の形態は、上述した実施の形態に限定されるものではなく、本発明の要旨を逸脱しない範囲において種々の変更が可能である。
【０４１４】
すなわち、上述の実施の形態では、受信装置に、複数の補間用フィルタとして、通過帯域が異なる２つの補間用フィルタ４２１及び４２２（図１６ないし図１８）や、２つの補間用フィルタ２０９及び７２９を設けるようにしたが、複数の補間用フィルタとしては、通過帯域が異なる３つ以上の補間用フィルタを設けることが可能である。さらに、３つ以上の補間用フィルタについては、そのうちの１つ以上の一部の補間用フィルタとして、通過帯域が異なる複数の帯域のフィルタを採用することが可能である。
【０４１５】
また、上述の実施の形態では、補間用フィルタ４２２（図１６ないし図１８）を、通過帯域が２つの帯域になっているフィルタとしたが、補間用フィルタ４２２としては、通過帯域が３つ以上の帯域になっているフィルタを採用することができる。補間用フィルタ７２９（図１９）についても同様である。
【図面の簡単な説明】
【０４１６】
【図１】OFDMシンボルを説明する図である。
【図２】OFDMシンボル内の、パイロット信号の配置パターンを示す図である。
【図３】従来の受信装置の一例の構成を示すブロック図である。
【図４】伝送路特性推定部１０９の構成例を示すブロック図である。
【図５】時間方向の補間がされた伝送路特性を表す時間方向補間特性データを説明する図である。
【図６】周波数方向の補間がされた伝送路特性を表す周波数方向補間特性データを説明する図である。
【図７】０値補間特性データの時間領域のデータを示す図である。
【図８】位相の調整を行わない時間方向補間特性データから得られる０値補間特性データを示す図である。
【図９】マルチパスの最大遅延時間がTu/3［秒］を超える時間である場合の、０値補間特性データを示す図である。
【図１０】本発明を適用した受信装置の第１実施の形態の構成例を示すブロック図である。
【図１１】２つの帯域を通過帯域とするフィルタの特性としての窓関数を示す図である。
【図１２】２つの帯域を通過帯域とする他のフィルタの特性としての窓関数を示す図である。
【図１３】拘束条件を満たす帯域幅BW1及びBW2の通過帯域のフィルタの特性としての窓関数を示す図である。
【図１４】第１実施の形態の受信装置において、FFT部１０８のFFT演算の後に行われる処理を説明するフローチャートである。
【図１５】通過帯域の制御処理を説明するフローチャートである。
【図１６】本発明を適用した受信装置の第２実施の形態の構成例を示すブロック図である。
【図１７】本発明を適用した受信装置の第３実施の形態の構成例を示すブロック図である。
【図１８】本発明を適用した受信装置の第４実施の形態の構成例を示すブロック図である。
【図１９】本発明を適用した受信装置の第５実施の形態の構成例を示すブロック図である。
【図２０】第５実施の形態の受信装置において、FFT部１０８のFFT演算の後に行われる処理を説明するフローチャートである。
【図２１】本発明を適用したコンピュータの一実施の形態の構成例を示すブロック図である。
【符号の説明】
【０４１７】
１０８  FFT部，  １１０  伝送路歪み補正部，  ２０１  パイロット抽出部，  ２０２  基準信号生成部，  ２０３  演算部，  ２０４  時間方向特性推定部，  ２０６  位相調整部，  ２０７  位相オフセット算出部，  ２０８  アップサンプル部，  ２０９  補間用フィルタ，  ３０１  伝送路特性推定部，  ３１１  周波数方向特性推定部，  ３１２  フィルタ制御部，  ３２１  補間用フィルタ，  ３３１  アップサンプル部，  ３３２  補間用フィルタ，  ３３３  伝送路歪み補正部，  ３３４  信号品質計算部，  ３３５  通過帯域設定部，  ４０１  伝送路特性推定部，  ４１１  周波数方向特性推定部，  ４１２  フィルタ制御部，  ４２１，４２２  補間用フィルタ，  ４２３  選択部，  ４３１  位相調整部，  ４３２  コントローラ，  ４３３  アップサンプル部，  ４３４  補間用フィルタ，  ４３５  伝送路歪み補正部，  ４３６  信号品質計算部，  ４４１  位相調整部，  ４４２  コントローラ，  ４４３  アップサンプル部，  ４４４  補間用フィルタ，  ４４５  伝送路歪み補正部，  ４４６  信号品質計算部，  ４５１  比較部，  ４５２  選択部，  ５０１  伝送路特性推定部，  ５１２  フィルタ制御部，  ５２１  コントローラ，  ５２２  比較部，  ５２３  選択部，  ６０１  伝送路特性推定部，  ６１２  フィルタ制御部，  ６２１  コントローラ，  ６２２，６２３  メモリ，  ６２４  最適値選択部，  ７０１  伝送路特性推定部，  ７１１  周波数方向特性推定部，  ７１２  伝送路歪み補正部，  ７１３，７１４  信号品質計算部，  ７１５  比較部，  ７１６  選択部，  ７２６  位相調整部，  ７２７  位相オフセット算出部，  ７２８  アップサンプル部，  ７２９  補間用フィルタ，  ８０１  バス，  ８０２  CPU，  ８０３  ROM，  ８０４  RAM，  ８０５  ハードディスク，  ８０６  出力部，  ８０７  入力部，  ８０８  通信部，  ８０９  ドライブ，  ８１０  入出力インタフェース，  ８１１  リムーバブル記録媒体
【図１】
2010050691.tif 000003
【図２】
2010050691.tif 000004
【図３】
2010050691.tif 000005
【図４】
2010050691.tif 000006
【図５】
2010050691.tif 000007
【図６】
2010050691.tif 000008
【図７】
2010050691.tif 000009
【図８】
2010050691.tif 000010
【図９】
2010050691.tif 000011
【図１０】
2010050691.tif 000012
【図１１】
2010050691.tif 000013
【図１２】
2010050691.tif 000014
【図１３】
2010050691.tif 000015
【図１４】
2010050691.tif 000016
【図１５】
2010050691.tif 000017
【図１６】
2010050691.tif 000018
【図１７】
2010050691.tif 000019
【図１８】
2010050691.tif 000020
【図１９】
2010050691.tif 000021
【図２０】
2010050691.tif 000022
【図２１】
2010050691.tif 000023